(57)【特許請求の範囲】
【請求項１】
前面に遊技領域が画成された板状部材の裏側に演出部品が配設された設置部材を有する遊技盤と、前記遊技領域内に開口して遊技球が入賞可能な入賞部とを備え、前記入賞部に入賞した遊技球を、排出通路部を介して遊技盤の外部に排出させるよう構成された遊技機において、
前記排出通路部は、
前方または後方へ開口する樋状通路部を形成し、前記入賞口に入賞した遊技球が転動する通路形成部と、
前記通路形成部において前記樋状通路部から外れた位置に設けられ、遊技機に対する不正行為を検出可能な不正検出センサを当該樋状通路部の開口方向から当接して位置決めするセンサ設置部と、
前記通路形成部に形成された樋状通路部の前方または後方の開口を塞いで球通路を画成すると共に、前記センサ設置部を覆うカバー部材とを備え、
前記通路形成部とカバー部材とを組み付けた際に、前記センサ設置部に位置決めさせた前記不正検出センサが当該カバー部材で挟持されるよう構成され、
前記不正検出センサは、発振回路および発振検出回路を備えたセンサ本体と、当該センサ本体の長手方向に偏った位置に形成された検出口に収容されて前記発振回路の発振を停止または減衰させる金属体とを備え、該発振回路の発振の停止または減衰を発振検出回路が検出した状態から発振回路の発振を発振検出回路が検出した状態に状態変化することにより不正行為を検出可能に構成され、
前記センサ設置部と画壁を挟んで隣接する前記球通路の延在方向に前記不正検出センサの長手方向が沿うと共に、当該球通路の延在方向と交差する方向に前記検出口が開口する姿勢で、当該不正検出センサが前記センサ設置部に取り付けられるよう構成された
ことを特徴とする遊技機。
【発明の詳細な説明】
【技術分野】
【０００１】
この発明は、遊技領域を流下する遊技球を入賞部に入賞させることで遊技が行われるよう構成された遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の窓口を介して複数の図柄を変動表示する液晶式やドラム式等の図柄表示装置を後方から臨ませると共に、該遊技盤における枠状装飾体の下方位置に、パチンコ球(遊技球)の入賞により図柄表示装置での図柄変動を開始させる始動入賞装置、大当り時等に開放する特別入賞装置や普通入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合せで停止することにより所謂大当りが発生し、前記特別入賞装置が開放して多数の賞球を獲得し得るよう構成される。
【０００３】
このような、パチンコ機では、前記入賞装置に配設されている球検出センサに向けて強力な電波を照射して誤検出させたり、強力な磁石を近づけて磁気によって誤検出させたりする不正行為を行って、賞球を不正に獲得したり図柄変動演出を不正に開始させる所謂ゴト行為が発生して問題となっている。そこで、遊技盤に電波や磁気を検出する不正検出センサを設け、該不正検出センサによって不正行為を検出することが行われている(例えば、特許文献１参照)。
【先行技術文献】
【特許文献】
【０００４】
【特許文献１】特開２０１０−５７７６１号公報
【発明の概要】
【発明が解決しようとする課題】
【０００５】
しかしながら、前記不正検出センサを遊技盤に取り付ける場合には、特許文献１のようにセンサを収容保持するためのケース体を設ける必要がある。しかしながら、近年のパチンコ機は、遊技演出の多様化を図ると共に遊技演出の興趣を向上することを目的として、遊技盤に設置される入賞部の設置数が増大する傾向にあり、当該入賞部に入賞したパチンコ球の排出経路が複雑化しており、不正検出センサ収容保持するケース体の設置スペースを確保することが困難になりつつある。また、不正検出センサ収容保持するケース体を個別に設けることで組み付け部品や作業工数の増加を招き、作業効率が低下すると共に、コストが嵩む問題も指摘される。
【０００６】
すなわち本発明は、従来の技術に係る遊技機に内在する前記課題に鑑み、これを好適に解決するべく提案されたものであって、不正検出センサを簡易な構成で設置可能な遊技機を提供することを目的とする。
【課題を解決するための手段】
【０００７】
前記課題を解決し、所期の目的を達成するため、本発明の請求項１に係る発明は、
前面に遊技領域(22)が画成された板状部材(21)の裏側に演出部品の収容空間(82)を形成する設置部材(80)を有する遊技盤(20)と、前記遊技領域(22)内に開口して遊技球が入賞可能な入賞部(52,53,56)とを備え、前記入賞部(52,53,56)に入賞した遊技球を、排出通路部(100)を介して遊技盤(20)の外部に排出させるよう構成された遊技機において、
前記排出通路部(100)は、
前方または後方へ開口する樋状通路部(105〜108)を形成し、前記入賞部(52,53,56)に入賞した遊技球が転動する通路形成部(101)と、
前記通路形成部(101)において前記樋状通路部(105〜108)から外れた位置に設けられ、遊技機に対する不正行為を検出可能な不正検出センサ(130,180)を当該樋状通路部(105〜108)の開口方向から当接して位置決めするセンサ設置部(141,161)と、
前記通路形成部(101)に形成された樋状通路部(105〜108)の前方または後方の開口を塞いで球通路(R1〜R4)を画成すると共に、前記センサ設置部(141,161)を覆うカバー部材(110)とを備え、
前記通路形成部(101)とカバー部材(110)とを組み付けた際に、前記センサ設置部(141,161)に位置決めさせた前記不正検出センサ(130,180)が当該カバー部材(110)で挟持されるよう構成され、
前記不正検出センサ(130,180)は、発振回路(133)および発振検出回路(134)を備えたセンサ本体(131)と、当該センサ本体(131)の長手方向に偏った位置に形成された検出口(132)に収容されて前記発振回路(133)の発振を停止または減衰させる金属体(137)とを備え、該発振回路(133)の発振の停止または減衰を発振検出回路(134)が検出した状態から発振回路(133)の発振を発振検出回路(134)が検出した状態に状態変化することにより不正行為を検出可能に構成され、
前記センサ設置部(141)と画壁(143)を挟んで隣接する前記球通路(R1)の延在方向に前記不正検出センサ(130)の長手方向が沿うと共に、当該球通路(R1)の延在方向と交差する方向に前記検出口(132)が開口する姿勢で、当該不正検出センサ(130)が前記センサ設置部(141)に取り付けられるよう構成されたことを要旨とする。
【０００８】
このように、入賞部に入賞した遊技球を排出する樋状通路部が形成された通路形成部にセンサ設置部を形成して、当該センサ設置部に取り付けた不正検出センサを、当該通路形成部とカバー部材とで挟持することで、不正検出センサを設置する部材を個別に設ける必要がない。これにより不正検出センサの設置スペースを最小化しつつ、不正検出センサの組み付け作業を簡略化し得ると共に、コストを低廉に抑制することが可能となる。また、入賞部に入賞した遊技球を排出する排出通路部は、当該排出通路部の球通路を遊技球が通過する過程で球詰まりするのを防ぐためにも、通路形成部およびカバー部材が精度良く組み付けられる。このため、通路形成部およびカバー部材により不正検出センサを挟持することで、不正検出センサを安定して保持することができ、不正検出センサの位置ずれ等に起因した検出不良等の発生を防止し得る利点がある。また、入賞部に入賞した遊技球の球通路を形成する排出通路部に不正検出センサを設置することで、不正行為の対象とされ易い入賞部を効果的に監視することができる。
更に、センサ設置部と画壁を挟んで隣接する球通路の延在方向に前記不正検出センサの長手方向が沿うと共に、当該球通路の延在方向と交差する方向に検出口が開口する姿勢で不正検出センサを設置することで、当該不正検出センサの設置スペースを最小化しつつ、不正検出センサによる不正行為の検出可能範囲を拡大することができる。また、遊技機の前面下側からの不正行為が懸念される場合であっても、この下側からの不正行為を不正検出センサで効果的に検出することができる。
【０００９】
本願には、次のような技術的思想が含まれている。
前記カバー部材(110)は、前記センサ設置部(141,161)と対向する位置に、当該センサ設置部(141,161)に位置決めした不正検出センサ(130,180)を挟持固定するセンサ挟持部(151,171)を有すると共に、
前記センサ設置部(141,161)において前記センサ挟持部(151,171)側を向く前記不正検出センサ(130,180)の設置領域の全面を、当該前記センサ挟持部(151,171)で覆うよう構成されたことを要旨とする。
このように、通路形成部に設けたセンサ設置部における不正検出センサの設置領域の全面を、カバー部材に設けたセンサ挟持部で覆うことで、不正検出センサの安定性を向上することができる。
【００１０】
本願には、次のような技術的思想が含まれている。
前記センサ設置部(161)には、前記センサ挟持部(171)側に開口する設置凹部(163)が形成されて、当該設置凹部(163)に不正検出センサ(180)を嵌合させることで位置決めされるよう構成されたことを要旨とする。
このように、センサ設置部に形成した設置凹部に不正検出センサを嵌合させて位置決めすることで、排出通路部に対する不正検出センサの取付作業性が向上する。
【００１１】
本願には、次のような技術的思想が含まれている。
前記通路形成部(101)とカバー部材(110)とを固定する固定部(109)を、センサ設置部(141,161)およびセンサ挟持部(151,171)による不正検出センサ(130,180)の挟持位置に隣接して設けたことを要旨とする。
このように、センサ設置部およびセンサ挟持部による不正検出センサの挟持位置に隣接した位置で、通路形成部およびカバー部材が固定されるから、不正検出センサの安定性を向上することができる。
【発明の効果】
【００１３】
本発明に係る遊技機によれば、不正検出センサを簡易な構成で設置できる。
【図面の簡単な説明】
【００１４】
【図１】本発明の好適な実施例に係るパチンコ機を、外枠に対して前枠を開放した状態で示す斜視図である。
【図２】実施例に係る遊技盤を示す正面図である。
【図３】実施例に係る遊技盤の分解斜視図であって、板状部材、球排出ユニットおよび設置部材の要部を示す。
【図４】実施例に係る遊技盤の縦断面図であって、(a)は第１特別入賞部の排出口と球排出ユニットの上部球入口との連通位置で縦断した要部を示し、(b)は入賞ユニットの排出口と下部球入口との連通位置で縦断した要部を示す。
【図５】実施例に係る球排出ユニットを前側から視た状態で示す分解斜視図であって、第１センサ設置部を拡大して示す。
【図６】実施例に係る球排出ユニットを後側から視た状態で示す分解斜視図であって、第２センサ設置部を拡大して示す。
【図７】実施例に係る球排出ユニットを示す正面図であって、光拡散部材を省略して示してある。
【図８】(a)は、通路形成部の第１センサ設置部を拡大して示す正面図であり、(b)はカバー部材の第１センサ挟持部を拡大して示す背面図である。
【図９】(a)は、第１センサ保持部を図８(a)のＡ−Ａ線位置で縦断した球排出ユニットの分解図であり、(b)は、通路形成部およびカバー部材で電波検出センサを挟持した状態を示す。
【図１０】(a)は、通路形成部を第２センサ設置部で拡大して示す正面図であって、第２センサ挟持部を二点鎖線で示し、(b)は、第２センサ保持部を(a)のＢ−Ｂ線位置で横断した球排出ユニットの要部拡大図である。
【図１１】実施例に係るパチンコ機の制御構成を示すブロック図である。
【図１２】実施例に係る電波検出センサの回路構成を示すブロック図である。
【図１３】(ａ)は発振検出状態での検出センサユニット内の信号の流れを示すブロック図であり、(ｂ)は発振非検出状態での検出センサユニット内の信号の流れを示すブロック図である。
【図１４】不正電波行為時における電波検出センサの信号を示すブロック図である。
【発明を実施するための形態】
【００１５】
次に、本発明に係る遊技機につき、好適な実施例を挙げて、添付図面を参照して以下に説明する。なお、実施例では、遊技球としてパチンコ球を用いて遊技を行うパチンコ機１０を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００１６】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定の特図当り判定条件(当り判定条件)の成立を契機として(後述する第１始動入賞部５１の第１始動入賞口５１ａまたは第２始動入賞部５２の第２始動入賞口５２ａへのパチンコ球の入賞を契機として)、演出用の図柄(以下演出図柄という)を変動表示させて図柄組合せ演出を行う演出表示手段としての図柄表示装置１７が着脱可能に配設されている。また、前記中枠１２の前面側には、前記遊技盤２０の遊技領域２２と対応する位置に前後に開口する窓口１３ａが形成された装飾枠としての前枠１３が開閉可能に組み付けられている。そして、前枠１３には、ガラス板や透明な合成樹脂材で形成された透視保護部材が窓口１３ａを覆うよう配設されており、遊技盤２０を前側から透視可能な状態で保護している。なお、図１では、透視保護部材を省略してある。また、前記前枠１３における窓口１３ａの下方位置には、パチンコ球を貯留可能な球受け皿１４が設けられており、当該前枠１３と一体的に球受け皿１４を開閉し得るようになっている。実施例の前枠１３には、上下の位置関係で２つの球受け皿１４が組み付けられており、図１に上側の球受け皿１４のみを図示してある。なお、前記上下の球受け皿１４の一方および両方を、前枠１３とは個別に中枠１２に組み付けるようにしてもよい。また、中枠１２や前枠１３に、１つの球受け皿１４のみを備える構成とすることもできる。なお、実施例では、前記図柄表示装置１７としては、液晶パネルを収容ケースに収容した液晶表示装置が採用されているがこれに限られるものではなく、ドラム式の図柄表示装置１７やドットマトリックス式の表示装置等の演出図柄を変動および停止表示可能な従来公知の各種の装置を採用し得る。
【００１７】
実施例のパチンコ機１０の前面右下部(実施例では前枠１３の前面右下部)には、図１に示すように、前記中枠１２に配設された打球発射装置１８を作動させる操作ハンドル１６が設けられる。この操作ハンドル１６は、左回転方向に付勢された操作レバー１６ａを備えており、該操作レバー１６ａを右回転するよう遊技者が回動操作することで打球発射装置１８が作動されて、前記上側の球受け皿１４に貯留されたパチンコ球が前記遊技盤２０に向けて発射されるようになっている。ここで、前記操作レバー１６ａの回動量に応じて前記打球発射装置１８によるパチンコ球の打球力が強弱変化するよう構成されており、遊技者が操作レバー１６ａの回動量を調節することで、前記遊技領域２２へのパチンコ球の打ち出し位置を任意に変更し得るようになっている。すなわち、遊技者が操作レバー１６ａを操作して回動量を調節することで、前記遊技盤２０に形成された第１の流下領域２２ａ(後述)にパチンコ球を流下させる所謂「左打ち遊技」と称される遊技形態、該遊技盤２０に形成された第２の流下領域２２ｂ(後述)にパチンコ球を流下させる所謂「右打ち遊技」と称される遊技形態とに切り替えて遊技を行い得るようになっている。
【００１８】
(遊技盤２０について)
実施例の前記遊技盤２０は、図２、図３に示すように、パチンコ球が流下可能な遊技領域２２が前面側に形成された板状部材(遊技領域形成部材)２１と、該板状部材２１の裏側に配設されて当該板状部材２１との間に収容空間８２を画成する設置部材(収容空間画成部材)８０とから構成されている。前記板状部材２１は、合成樹脂材やベニヤ材等から所定板厚の略矩形状に形成されており、前面(盤面)に配設された略円形状の案内レール２３によりパチンコ球が流下可能な遊技領域２２が画成されている。実施例の板状部材２１は、アクリル樹脂から形成された透明板であって、前記収容空間８２を板状部材２１の前面側から透視し得るようになっている。また、前記板状部材２１と設置部材８０との間の収容空間８２には、可動体の動作による演出や発光による演出を行う演出装置(図示せず)が設置されており、透明な板状部材２１を介して遊技盤２０の前面側から収容空間８２内に配設した演出装置を遊技者が目視し得るよう構成されている。また、収容空間８２には、前記板状部材２１に設けられた入賞部５１,５２,５３,５４,５５,５６に入賞したパチンコ球を排出する球排出ユニットが設置され、入賞したパチンコ球を遊技盤２０の外部に排出し得るよう構成されている。なお、前記図柄表示装置１７は、設置部材８０の裏側に取り付けられて、後述するように設置部材８０に設けた後側表示窓部(図示せず)および板状部材２１(枠状装飾部材４０)の前側表示窓部４１(後述)を介して遊技盤２０の前側から視認可能に臨むよう構成される。
【００１９】
前記案内レール２３は、図２に示すように、板状部材２１の左下部から右上部に至るよう左方向に膨出する円弧状に形成された外レール部材２４と、板状部材２１の右上部、右下部および左上部に至るよう右方向に膨出する円弧状に形成された内レール部材２５とから構成されている。前記内レール部材２５は、外レール部材２４の右上端部に連接して板状部材２１の右上部から下部に亘って配設され、左端縁が右方に凹む円弧状に形成された右側内レール部材２５ｂと、板状部材２１の下部から左上部に亘って配設されて右側内レール部材２５ｂの下端部に連接し、前記外レール部材２４の右方(内側)に離間して位置する左側内レール部材２５ａとから構成され、該外レール部材２４および左側内レール部材２５ａにより１個のパチンコ球が通過可能な発射通路２６が画成されている。ここで、前記内レール部材２５(左側内レール部材２５ａ)は、前記板状部材２１の左上部に開放端が臨むよう配置されて、外レール部材２４との間に遊技領域２２に開口する発射口２６ａを画成するよう構成され、前記打球発射装置１８から発射されたパチンコ球が発射通路２６の下方開口から飛翔して、当該発射口２６ａから遊技領域２２内に打ち出されるようになっている。
【００２０】
前記板状部材２１には、前後に貫通する装着口が前記遊技領域２２内の適宜位置に開設されて、各装着口に対して各種の遊技盤設置部品が配設されている。なお、実施例の遊技盤２０には、遊技盤設置部品として枠状装飾部材４０や各種入球部(始動入賞部５１,５２、特別入賞部５３,５４、普通入賞部５５,５６、ゲート部５７等)を設置する装着口が形成されている。なお、図４に枠状装飾部材４０を設置する装着口２９と、右側入賞ユニット６１を設置する装着口２９の一部を図示してある。そして、前記遊技盤２０の板状部材２１において遊技領域２２の最下部位置に、該遊技領域２２の最下部位置まで流下したパチンコ球を遊技盤２０の外部に排出するアウト口３０が開設されている。すなわち、前記打球発射装置１８から発射されて遊技領域２２を流下するパチンコ球が前記板状部材２１に設けられた入球部(始動入賞部５１,５２、特別入賞部５３,５４、普通入賞部５５,５６、ゲート部５７等)に入球(入賞)することにより、入球した入球部に応じた賞球の払い出しや図柄組合せ演出の実行等の所定の遊技が行われ、遊技領域２２の最下部まで流下したパチンコ球がアウト口３０を介して機外に排出されるよう構成される。なお、前記装着口は、板状部材２１に対して取り付けられる遊技盤設置部品の配設位置や配設数等に応じて適宜に形成される。
【００２１】
また、前記板状部材２１には、前記遊技領域２２内に多数の遊技釘３２が設けられると共に、後述する枠状装飾部材４０の左側方に、遊技領域２２を流下するパチンコ球の接触に伴って回転する回転案内部材３３が回転自在に支持されており、遊技釘３２や回転案内部材３３との接触によりパチンコ球の流下方向が不規則に変化するよう構成されている。前記回転案内部材３３は、回転中心から放射状に複数の接触片(図示せず)を有する所謂「風車」とも称される部材であって、接触片に対するパチンコ球の接触に伴って回転案内部材３３が回転することでパチンコ球を弾くように左右方向へ放出するようになっている。
【００２２】
実施例の前記板状部材２１には、図２に示すように、前記案内レール２３で囲まれた遊技領域２２の略中央の大部分が開口する装着口に、センター役とも称される装飾部材４０が取り付けられており、当該装飾部材４０に設けられた前側表示窓部(表示窓部)４１を介して前側から板状部材２１の後方を視認し得るよう構成されている。そして、前記装飾部材４０の前側表示窓部４１の後方に、前記図柄表示装置１７の表示部が臨む前記設置部材８０の後側表示窓部が位置するように構成されており、当該図柄表示装置１７の表示部を遊技盤２０の前側から目視し得るようになっている。ここで、実施例では、前記図柄表示装置１７の表示部が臨む前記装飾部材４０は、前後に開口する枠状に形成されて、当該装飾部材４０の開口部を透明パネル４２により部分的に塞ぐよう構成してある。このように、実施例では、装飾部材４０の開口部および透明パネル４２により前記前側表示窓部４１が形成されている。なお、以下の説明では、前側表示窓部４１が設けられた装飾部材を枠状装飾部材４０と指称するものとする。すなわち、前記枠状装飾部材４０の前側表示窓部４１の後方に前記図柄表示装置１７の表示部が位置するよう構成されている。なお、枠状装飾部材４０は、透明パネル４２により開口部を部分的に塞ぐ構成に限らず、当該開口部を全面的に透明パネル４２で覆うようにしてもよく、また透明パネル４２を省略して枠状装飾部材４０の開口部が板状部材２１の前後に開口する形態とすることも可能である。
【００２３】
(枠状装飾部材４０について)
次に、前記枠状装飾部材４０について詳細に説明する。前記枠状装飾部材４０は、図２に示すように、前記板状部材２１の前面より前方に突出し、前記遊技領域２２と表示装置の表示部を区切る庇状部４４と、該庇状部４４の後縁から外方に延出する薄板状の台板部４５とを備える。そして、前記台板部４５を板状部材２１の前面に当接した状態で、該台板部４５をネジ等の固定手段で板状部材２１に固定することで、枠状装飾部材４０が板状部材２１に取り付けられて、該枠状装飾部材４０の外側、具体的には庇状部４４と案内レール２３との間にパチンコ球が流下する遊技領域２２が画成されるようになっている。なお、枠状装飾部材４０を板状部材２１に取り付けた状態で、庇状部４４の後端縁から外方に延出する台板部４５が板状部材２１の前面に沿って延在して、該台板部４５の前側をパチンコ球が通過可能に構成される。
【００２４】
すなわち、遊技盤２０に画成された前記遊技領域２２は、前記枠状装飾部材４０の左側に形成された第１の流下領域２２ａと、当該枠状装飾部材４０の右側に形成された第２の流下領域２２ｂとに区画されており、操作ハンドル１６の操作レバー１６ａを回動操作して打球力を調節することにより、パチンコ球を第１の流下領域２２ａに流下させる遊技形態(左打ち)およびパチンコ球を第２の流下領域２２ｂに流下させる遊技形態(右打ち)の何れかを遊技者が任意に選択し得るようになっている。そして、前記遊技領域２２は、前記枠状装飾部材４０の下方位置において第１および第２の流下領域２２ａ,２２ｂが合流するようになっており、当該第１および第２の流下領域２２ａ,２２ｂが合流する合流領域に前記アウト口３０が形成されており、枠状装飾部材４０の左側および右側を流下したパチンコ球がアウト口３０まで流下し得るよう構成されている。
【００２５】
また、図２に示すように、前記枠状装飾部材４０の庇状部４４は、枠状装飾部材４０(台板部４５)の左側縁の略中間位置から上縁および右下縁に亘って連続して延在するよう設けられており、前記図柄表示装置１７における表示部の前面側を横切ってパチンコ球が流下(落下)するのを規制している。また庇状部４４は、最上部位置から左右方向に下方傾斜するよう形成されて、遊技領域２２に打ち出されたパチンコ球が庇状部４４上で滞ることなく枠状装飾部材４０の左側方(第１の流下領域２２ａ)または右側方(第２の流下領域２２ｂ)へ誘導案内されるよう形成されている。
【００２６】
ここで、前記枠状装飾部材４０は、図２に示すように、当該枠状装飾部材４０の上部から右側部の間で前記案内レール２３に近接するよう構成されている。すなわち、前記第２の流下領域２２ｂは、前記枠状装飾部材４０の上方位置で前記第１の流下領域２２ａに接続すると共にパチンコ球が一列で流下する通路幅に形成された整列流路ＲＡと、当該整列流路ＲＡの下端部に接続すると共に複数のパチンコ球が並列で流下可能な通路幅に形成された拡大流路ＲＢとに分けられて、当該拡大流路ＲＢに複数の入球部(実施例では第２始動入賞部５２、特別入賞部５３,５４、右側の普通入賞部５６、ゲート部５７等)が集約的に配置されるようになっている。
【００２７】
前記枠状装飾部材４０には、図２に示すように、前記前側表示窓部４１の下側(枠状装飾部材４０の内周下縁部)にステージ４６が配設されると共に、当該前側表示窓部４１の左側部(第１の流下領域２２ａ側の側部)を形成する庇状部４４に、前記遊技領域２２に開口すると共にステージ４６に連通する球導入部４７が設けられ、前記遊技領域２２(第１の流下領域２２ａ)を流下するパチンコ球を、当該球導入部４７の枠状装飾部材４０の内側(ステージ４６)に取り込み得るよう構成されている。そして、球導入部４７からステージ４６に取り込まれたパチンコ球は、ステージ４６の上面となる転動面を左右に転動した後に、前記第１始動入賞部５１の第１始動入賞口５１ａの上方で遊技領域２２に排出されるようになっている。すなわち、ステージ４６によりパチンコ球を第１始動入賞部５１の配設位置上方まで誘導することで、球導入部４７に取り込まれずに第１の流下領域２２ａを流下したパチンコ球が第１始動入賞部５１に入賞する確率よりも、球導入部４７に取り込まれたパチンコ球が第１始動入賞部５１に入賞する確率のほうが高くなるようにしている。また、前記ステージ４６の後端部には、当該ステージ４６の左右方向の全長に亘って転動面から上側に向けて所定高さで立上がる仕切壁４８が設けられ、ステージ４６上を転動するパチンコ球が図柄表示装置１７の表示部側に移動するのを該仕切壁４８で防止している。また、透明壁の上端縁に、前記前枠１３における透視保護部材の裏面に近接する位置(透視保護部材との間をパチンコ球が通過できない隙間となる位置)まで張り出す張出部４８ａが設けられ、遊技釘３２に接触して跳ねたパチンコ球が表示部側に移動するのを該張出部４８ａで防止している。
【００２８】
(入球部について) 
図２に示すように、前記遊技盤２０には、パチンコ球が入賞可能な複数の入球部が前記遊技領域２２内に配設されており、パチンコ球が入球した入球部に応じた制御が実行されることで所定の遊技を行い得るようになっている。具体的に、実施例のパチンコ機１０では、前記第１の流下領域２２ａに位置するよう前記入球部としての第１始動入賞部５１が配置されると共に、前記第２の流下領域２２ｂに位置するよう前記入球部としての第２始動入賞部５２、第１および第２特別入賞部５３,５４、ゲート部５７が配置されている。ここで、枠状装飾部材４０の形状や遊技釘３２の配置等により、前記第２の流下領域２２ｂを流下したパチンコ球が第１始動入賞部５１に略入賞し得ないよう構成されると共に、前記第１の流下領域２２ａを流下したパチンコ球が第２始動入賞部５２や第１および第２特別入賞部５３,５４、ゲート部５７に略入賞し得ないよう構成されている。すなわち、実施例に係るパチンコ機１０では、前記第１の流下領域２２ａをパチンコ球が流下する場合(左打ち遊技の場合)に、パチンコ球が第２の流下領域２２ｂを流下する場合に較べて第１始動入賞部５１の第１始動入賞口５１ａにパチンコ球が入賞する可能性が高くなるよう構成されると共に、該第２の流下領域２２ｂをパチンコ球が流下する場合(右打ち遊技の場合)に、パチンコ球が第１の流下領域２２ａを流下する場合に較べて第２始動入賞部５２の第２始動入賞口５２ａや第１および第２特別入賞部５３,５４の特別入賞口５３ａ,５４ａ、ゲート部５７の普図始動口５７ａへパチンコ球が入賞する可能性が高くなるよう構成されている。従って、操作レバー１６ａの回動操作により左打ち遊技および右打ち遊技に遊技者が能動的に切り替えることで、パチンコ球が入賞可能な入賞部を切り替え得るようになっている。なお、実施例の遊技盤２０には、前記第１および第２の流下領域２２ａ,２２ｂの夫々に位置するよう入球部としての普通入賞部５５,５６が配置されており、第１および第２の流下領域２２ａ,２２ｂを流下させたパチンコ球を普通入賞部５５,５６に入賞させ得るようになっている。
【００２９】
(第１始動入賞部５１について)
前記第１始動入賞部５１は、図２に示すように、前記枠状装飾部材４０の下方位置(アウト口３０の直上位置)に、パチンコ球が入賞(入球)可能な第１始動入賞口(始動口)５１ａが上方に常時開口するよう設けられており、前記第１の流下領域２２ａを流下するパチンコ球が一定の確率で第１始動入賞口５１ａに入賞し得るようになっている。また、前記第１始動入賞部５１は、第１始動入賞口５１ａに入賞したパチンコ球の排出経路に、パチンコ球を検出する検出手段としての第１始動入賞検出センサＳＥ１が配設されている。第１始動入賞検出センサＳＥ１は、前記設置部材８０の裏面に配設されたメイン制御基板３０１に配線接続されており(図１１参照)、該第１始動入賞検出センサＳＥ１からの球検出信号がメイン制御基板３０１のメイン制御ＣＰＵ(メイン制御手段)３０１ａに入力されることを判定条件としてメイン制御基板３０１のメイン制御ＣＰＵ３０１ａが特別遊技(大当り遊技や小当り遊技)を生起させるか否かを判定する特図当り判定(当り判定)を行うと共に、当該球検出信号の入力を賞球の払出条件として、該メイン制御ＣＰＵ３０１ａが所定数(例えば３個)の賞球の払い出しを決定し、当該決定に基づいてメイン制御基板３０１から払出制御基板(図示せず)に対して払出制御信号が出力されるようになっている。
【００３０】
(第２始動入賞部５２について)
前記第２始動入賞部５２は、第２の流下領域２２ｂ内で開口する第２始動入賞口５２ａを開閉部材５２ｂの作動に伴い開閉するよう構成されており、駆動手段としての始動入賞ソレノイドＳＬ１(図４、図１１参照)の駆動に伴って開閉部材５２ｂが第２始動入賞口５２ａを閉鎖する閉鎖位置と開放する開放位置に変位するよう構成されている。すなわち、第２始動入賞口５２ａは、始動入賞ソレノイドＳＬ１を駆動することでパチンコ球の入賞確率を可変し得るよう構成される。なお、実施例における第２始動入賞部５２は、前後に開口するよう形成された第２始動入賞口５２ａを介して前記板状部材２１の内部から遊技領域２２(第２の流下領域２２ｂ)に出没するよう開閉部材５２ｂが前後移動可能に構成されており、前記閉鎖位置において開閉部材５２ｂが第２始動入賞口５２ａを介して板状部材２１の内部(後方)に退避してパチンコ球が入賞不能に第２始動入賞口５２ａを塞ぐと共に、前記開放位置において開閉部材５２ｂが第２始動入賞口５２ａを介して遊技領域２２(第２の流下領域２２ｂ)に突出してパチンコ球が入賞可能に第２始動入賞口５２ａを開放するよう構成されている。そして、前記開放位置において、開閉部材５２ｂに受け止められたパチンコ球が前記第２始動入賞口５２ａに誘導されて入賞するようになっている。
【００３１】
また、前記第２始動入賞部５２は、前記第２始動入賞口５２ａに入賞したパチンコ球の排出経路(図示せず)に、パチンコ球を検出する検出手段としての第２始動入賞検出センサＳＥ２を備えている。第２始動入賞検出センサＳＥ２は、前記メイン制御基板３０１に配線接続されており(図１１参照)、該第２始動入賞検出センサＳＥ２からの球検出信号がメイン制御基板３０１のメイン制御ＣＰＵ３０１ａに入力されることを判定条件としてメイン制御基板３０１のメイン制御ＣＰＵ３０１ａが特図当り判定(当り判定)を行うと共に、当該球検出信号の入力を賞球の払出条件として、該メイン制御ＣＰＵ３０１ａが(例えば３個)賞球の払い出しを決定し、当該決定に基づいてメイン制御基板３０１から払出制御基板に対して払出制御信号が出力されるようになっている。
【００３２】
ここで、実施例のパチンコ機１０では、第１および第２始動入賞検出センサＳＥ１,ＳＥ２によるパチンコ球の検出(第１または第２始動入賞口５１ａ,５２ａへのパチンコ球の入賞)に伴って各種情報(乱数)が取得され、この取得した情報に基づいて特図当り遊技を生起させるか否かに関する当り判定が行われるよう構成されている。そして、特図当り判定の結果に基づいて前記図柄表示装置１７において図柄組合せ演出が実行され、特図当り判定の判定結果が肯定判定の場合に、該図柄表示装置１７での図柄組合せ演出の結果、該図柄表示装置１７の表示部に所定の当り表示となる組合せ(例えば同一演出図柄の３つ揃い等)で演出図柄が確定停止表示されることで、遊技者に有利な特別遊技(大当り遊技や小当り遊技等の特別遊技)が付与されるようになっている。そして、特図当り遊技の発生に伴って第１特別入賞部５３や第２特別入賞部５４の開閉部材５３ｂ,５４ｂ(後述)が作動変位されて、特別入賞口５３ａ,５４ａへのパチンコ球の入賞に伴い遊技者が賞球を獲得し得る機会が与えられるよう構成されている。ここで、前記メイン制御基板３０１には、前記図柄表示装置１７を制御する演出制御基板３０２が配線接続されており、当該メイン制御基板３０１から入力される制御信号に基づいて演出制御基板３０２が図柄表示装置１７を制御することで所定の図柄組合せ演出が実行されるようになっている。なお、実施例では、前記演出制御基板３０２を基板ケースに収容した演出制御装置が図柄表示装置１７の後面に着脱可能に取り付けられている。
【００３３】
(第１および第２特別入賞部５３,５４について)
図２に示すように、前記第１特別入賞部５３は、第２の流下領域２２ｂ内で開口する第１特別入賞口５３ａを開閉部材５３ｂの作動に伴い開閉するよう構成されると共に、前記第２特別入賞部５４は、第２の流下領域２２ｂ内で開口する第２特別入賞口５４ａを開閉部材５４ｂの作動に伴い開閉するよう構成されている。実施例では、前記枠状装飾部材４０の右下部位置に前記第１特別入賞部５３が設けられ、前記第１始動入賞部５１の右側方に前記第２特別入賞部５４が設けられている。ここで、前記第１特別入賞部５３の開閉部材５３ｂには駆動手段としての第１特別入賞ソレノイドＳＬ２(図１１参照)が連繋接続されると共に、第２特別入賞部５４の開閉部材５４ｂには駆動手段としての第２特別入賞ソレノイドＳＬ３が連繋接続されており、当該ソレノイドＳＬ２,ＳＬ３を駆動することで対応する特別入賞口５３ａ,５４ａへパチンコ球が入賞可能な開放位置と、入賞が不能な閉鎖位置とに切り替えられるようになっている。
【００３４】
また、前記枠状装飾部材４０には、前記第１特別入賞部５３の第１特別入賞口５３ａに入賞したパチンコ球が通過する排出通路４０ａが形成されており、当該排出通路４０ａに、通過するパチンコ球を検出する入賞検出手段としての第１特別入賞検出センサＳＥ３が配置されている。ここで、前記枠状装飾部材４０の排出通路４０ａは、前記板状部材２１の裏側において排出口４９が後方へ向けて開口するよう形成されており、後述する球排出ユニット１００に設けられた第１排出通路Ｒ１の上部球入口Ｒ１ａに、当該排出口４９が連通するようになっている。すなわち、第１特別入賞部５３に入賞したパチンコ球は、枠状装飾部材４０の排出通路４０ａを通過する過程で第１特別入賞検出センサＳＥ３に検出された後に、球排出ユニット１００の第１排出通路Ｒ１を通って遊技盤２０の外部に排出されるようになっている。また、前記第２特別入賞部５４は、前記装着口に前側から挿入される入賞部本体(図示せず)に、前記第２特別入賞口５４ａに入賞したパチンコ球を通過させる排出経路(図示せず)が形成されており、当該入賞部本体の排出通路に、通路を通過するパチンコ球を検出する入賞検出手段としての第２特別入賞検出センサＳＥ４を備えている。
【００３５】
前記第１および第２特別入賞検出センサＳＥ３,ＳＥ４は、パチンコ機１０の裏側に配設された制御手段としてのメイン制御基板３０１に配線接続されている。そして、特別入賞検出センサＳＥ３からの検出信号がメイン制御基板３０１のメイン制御ＣＰＵ３０１ａに入力されることを賞球の払出条件として、該メイン制御ＣＰＵ３０１ａが所定数(例えば１５個)の賞球の払い出しを決定するようになっている。また、前記第１および第２特別入賞ソレノイドＳＬ２,ＳＬ３は、前記第１始動入賞部５１または第２始動入賞部５２へのパチンコ球の入賞を契機として第１および第２特別入賞部５３,５４を開放する特別遊技が付与される場合に、特別遊技の種類に応じた所定の開閉条件に従って第１および第２特別入賞部５３,５４の開閉部材５３ｂ,５４ｂの何れかを作動させるようメイン制御基板３０１によって駆動制御される。
【００３６】
(普通入賞部５５,５６について)
図２に示すように、前記普通入賞部５５,５６は、前記遊技領域２２の左右下部位置において、パチンコ球が入賞(入球)可能な普通入賞口５５ａ,５６ａが上方に常時開口するよう前記遊技盤２０に設けられており、第１の流下領域２２ａを流下するパチンコ球および第２の流下領域２２ｂを流下するパチンコ球の夫々が一定の確率で普通入賞口５５ａ,５６ａに入賞し得るようになっている。実施例では、遊技盤２０の左下部位置に配設された左側の入賞ユニット６０に３つの普通入賞部５５が設けられ、遊技盤２０の右下部位置に配設された右側の入賞ユニット６１に１つの普通入賞部５６が設けられている。ここで、前記右側の入賞ユニット６１には、前記第２始動入賞部５２および第２特別入賞部５４が備えられており、第２始動入賞部５２、第２特別入賞部５４および普通入賞部５６を備えた複合ユニットとして構成されている。また、前記左側入賞ユニット６０の各普通入賞部５５は、各普通入賞口５５ａに入賞したパチンコ球を合流して通過させる通路途中(図示せず)に、当該通路を通過するパチンコ球を検出する入賞検出手段としての普通入賞検出センサＳＥ５(図１１参照)を備えている。
【００３７】
ここで、前記右側入賞ユニット６１は、前記板状部材２１の前面に取り付けられるユニットベース６１ａの裏側に、前記第２始動入賞部５２および右側の普通入賞部５６を備えたユニット本体６２(図４参照)が配設されると共に、当該ユニット本体６２の下方位置に、前記第１特別入賞部５３の入賞部本体が取り付けられている。なお、ユニットベース６１ａには、板状部材２１の前方へ突出すると共に板状部材２１の前面で上方に開口すると共に板状部材２１の裏側(装着口２９側)へ開口する入賞樋部(図示せず)が形成されており、当該入賞樋部の上方開口が前記普通入賞部５６の普通入賞口５６ａを形成している。また、前記ユニット本体６２は、前記第２始動入賞部５２を構成する始動入賞ソレノイドＳＬ１や開閉部材５２ｂが配設されると共に、第２始動入賞口５２ａに入賞したパチンコ球を検出する前記第２始動入賞検出センサＳＥ２や、前記普通入賞口５６ａに入賞したパチンコ球を検出する前記普通入賞検出センサＳＥ６が配設されている。更に、ユニット本体６２には、第２始動入賞検出センサＳＥ２および普通入賞検出センサＳＥ６により検出されたパチンコ球を排出する排出通路６２ａが形成されており、各入賞検出センサＳＥ２,ＳＥ６で検出されたパチンコ球が当該排出通路６２ａの同じ排出口６３から排出されるようになっている。ここで、前記ユニット本体６２の排出通路６２ａは、前記板状部材２１の裏側において排出口６３が下方へ向けて開口するよう形成されており、後述する球排出ユニット１００に設けられた第４排出通路Ｒ４の下部球入口Ｒ４ａに、当該排出口６３が連通するようになっている。すなわち、第２始動入賞部５２および右側の普通入賞部５６に入賞したパチンコ球は、ユニット本体６２の排出通路６２ａを通過する過程で対応する第２始動入賞検出センサＳＥ２および普通入賞検出センサＳＥ６に検出された後に、球排出ユニット１００の第４排出通路Ｒ４を通って遊技盤２０の外部に排出されるようになっている。
【００３８】
また、前記普通入賞検出センサＳＥ５,ＳＥ６は、パチンコ機１０の裏側に配設された制御手段としてのメイン制御基板３０１に配線接続されている。そして、普通入賞検出センサＳＥ５,ＳＥ６からの検出信号がメイン制御基板３０１のメイン制御ＣＰＵ３０１ａに入力されることを賞球の払出条件として、該メイン制御ＣＰＵ３０１ａが所定数(例えば１０個)の賞球の払い出しを決定するようになっている。
【００３９】
(ゲート部５７について)
前記ゲート部５７は、図２に示すように、上下に貫通するよう普図始動口５７ａが形成されており、第２の流下領域２２ｂを流下するパチンコ球がゲート部５７の上方から下方へ通過し得るようになっている。また、ゲート部５７には、当該ゲート部５７(通過口)を通過するパチンコ球を検出するゲートセンサＳＥ７が設けられている。このゲートセンサＳＥ７は、前記メイン制御基板３０１(図１１参照)に配線接続されているに配線接続されており、該ゲートセンサＳＥ７からメイン制御基板３０１への球検出信号の入力(すなわちパチンコ球の検出)に伴って普図当り判定条件(第２の当り判定条件)が成立するようになっている。そして、普図当り判定条件の成立に伴って普図当り遊技を生起させるか否かに関する普図当り判定が行われ、該普図当り判定の結果に応じて前記第２始動入賞部５２の始動入賞ソレノイドＳＬ１が駆動制御されて、当該開閉部材５２ｂが開閉動作するようになっている。すなわち、実施例のパチンコ機１０は、ゲートセンサＳＥ７によるパチンコ球の検出を契機として行われる普図当り判定の判定結果が当りの判定である場合に、前記第２始動入賞部５２の第２始動入賞口５２ａを所定の開放条件で開放する普図当り遊技が行われて、当該第２始動入賞口５２ａへパチンコ球を入賞させ得る機会が与えられるようになっている。
【００４０】
(設置部材８０について)
前記設置部材８０は、前記板状部材２１の外郭形状より僅かに小さな形状に形成された略矩形状の背面板８０ａと、該背面板８０ａの外周縁部から前方に突出する外周壁部８０ｂとから前方に開口した箱状に形成されて(図３参照)、該外周壁部８０ｂの開口前端部を板状部材２１の裏面に当接させた状態で、当該板状部材２１と設置部材８０とがネジにより固定される。そして、前記設置部材８０において前記板状部材２１との間に画成される前記収容空間８２に、動作により演出を行う可動演出装置や発光により演出を行う発光演出装置等の各種演出装置(図示せず)や、入賞部に入賞したパチンコ球を排出する球排出ユニット１００が設置されて、設置部材８０を基材とする１つのユニットとして扱い得るようになっている。なお、図３には、第１特別入賞部５３および右側入賞ユニット６１の入賞部(第２始動入賞部５２および普通入賞部５６)に入賞したパチンコ球を排出する排出通路が形成された球排出ユニット１００を図示し、その他の入賞部(第１始動入賞部５１、第２特別入賞部５４、左側の普通入賞部５５)に入賞したパチンコ球を排出する排出通路が形成された球排出ユニットや可動演出装置等の各種演出装置の図示を省略してある。
【００４１】
また、前記設置部材８０の背面板８０ａには、前記板状部材２１(枠状装飾部材４０)の前側表示窓部４１と前後に整列する位置に、背面板８０ａの裏側を視認可能にする後側表示窓部(図示せず)が形成されている。そして、前記設置部材８０における背面板８０ａの裏側に、前記後側表示窓部に表示部が臨むよう前記図柄表示装置１７が着脱自在に取り付けられて、前後の表示窓部を介して図柄表示装置１７の表示部を遊技盤２０の前側から視認し得るよう構成されている。なお、実施例では、前記設置部材８０の背面板８０ａに、前後に開口する略矩形状の開口部を開設して前記後側表示窓部を形成している。
【００４２】
(球排出ユニット１００について)
次に、前記球排出ユニット１００について説明する。前記球排出ユニット(排出通路部)１００は、図５〜図７に示すように、パチンコ球が一列で通過可能な通路幅で前方へ開口する樋状通路部１０５〜１０８が形成された通路形成部１０１と、当該通路形成部１０１の前側に配設されて樋状通路部１０５〜１０８の前方開口を塞ぐカバー部材１１０と、パチンコ機１０に対する不正行為を検出可能な不正検出センサ１３０,１８０を保持するセンサ保持部１４０,１６０とを備えており、通路形成部１０１とカバー部材１１０とを組み付けることで、パチンコが通過可能な排出通路Ｒが画成されるようになっている。また、前記球排出ユニット１００は、挿通口１００ａが前後に開口する枠状に形成されており、設置部材８０に球排出ユニット１００を取り付けた際に、前記板状部材２１の装着口２９から後方に突出した前記右側入賞ユニット６１の上部ユニット本体６２が当該挿通口１００ａに前側から挿通されるようになっている。
【００４３】
(通路形成部１０１について)
前記通路形成部１０１は、図５〜図７に示すように、右端部から右側方へ突出する側部固定部１０１ａが形成されると共に、当該通路形成部１０１の下端部から下方へ突出する下部固定部１０１ｂが形成されている。そして、前記設置部材８０の右側面を形成する外周壁部８０ｂに設けられた側部連結固定部８５(図３参照)に対して、前記球排出ユニット１００の側部固定部１０１ａをネジ止め固定すると共に、設置部材８０の下面を形成する外周壁部８０ｂに設けられた下部連結固定部８６(図３参照)に対して、当該球排出ユニット１００の側部固定部１０１ａをネジ止め固定することにより、設置部材８０に球排出ユニット１００が固定されるよう構成されている。ここで、前記球排出ユニット１００を設置部材８０に固定した際に、当該設置部材８０の背面板８０ａから前側に通路形成部１０１が離間して位置するよう構成されて、当該通路形成部１０１と背面板８０ａとの間に画成される空間部に演出装置を配設し得るようになっている。
【００４４】
また、前記通路形成部１０１は、図５〜図７に示すように、前記排出通路Ｒの通路後面を画成する壁部(以下、後面通路壁部１０２という)と、当該後側通路壁部から前方へ突出するよう設けられると共にパチンコ球が通過可能な間隔で対向して排出通路Ｒの通路側面を画成する一対の壁部(以下、側面通路壁部１０３という)とを備え、当該および一対の側面通路壁部１０３によりパチンコ球が一列で通過可能な前記樋状通路部１０５〜１０８が前方へ開口するよう形成されている。具体的には、前記通路形成部１０１から側方(実施例では右側方)へ向けて下方傾斜した第１樋状通路部１０５と、当該第１樋状通路部１０５の傾斜下端に連通して下方へ延在する画成する第２樋状通路部１０６と、当該第２樋状通路部１０６の下端に連通して下方へ延在すると共に下方に向かうにつれて左方向へ複数回変位した蛇行状の第３樋状通路部１０７と、前記上部ユニット本体６２に設けられた排出口６３に連通すると共に第３樋状通路部１０７に連通して下方へ延在する第４樋状通路部１０８とが前記通路形成部１０１に設けられている。すなわち、前記球排出ユニット１００には、前記挿通口１００ａの上部、右側部および下部を囲うように前記樋状通路部１０５〜１０８が延在している。
【００４５】
そして、前記カバー部材１１０は、図５〜図７に示すように、前記通路形成部１０１に形成された前記樋状通路部１０５〜１０８に沿って延在する平板状の壁部(以下、前面通路壁部１１１という)を有しており、当該通路形成部１０１にカバー部材１１０を組み付けた際に、前記各樋状通路部１０５〜１０８の前端部がカバー部材１１０の前面通路壁部１１１の後面に当接するようになっている。すなわち、前記通路形成部１０１とカバー部材１１０とを組み付けることで、前記第１〜第４樋状通路部１０５〜１０８およびカバー部材１１０により、前記挿通口１００ａの縁部に沿うように前記排出通路Ｒが形成されている。なお、前記カバー部材１１０には、後方へ突出する突状部１１０ａが前記樋状通路部１０５〜１０８の前端部に沿うよう形成されており、通路形成部１０１とカバー部材１１０とを組み付けた際に、突状部１１０ａの後端部が樋状通路部１０５〜１０８(側面通路壁部１０３)の前端部に整合するようになっている。
【００４６】
なお、以下の説明において、第１樋状通路部１０５により画成される排出通路Ｒを第１排出通路Ｒ１と指称し、第２樋状通路部１０６により画成される排出通路Ｒを第２排出通路Ｒ２と指称し、第３樋状通路部１０７により画成される排出通路Ｒを第３排出通路Ｒ３と指称し、第４樋状通路部１０８により画成される排出通路Ｒを第４排出通路Ｒ４と指称する場合がある。すなわち、球排出ユニット１００には、前記第１〜第４樋状通路部１０５〜１０８の前方開口を前記カバー部材１１０で塞ぐことにより、前記挿通口１００ａの開口上縁部、開口右側縁部および開口下縁部縁を囲むよう前記第１〜第４排出通路Ｒ１〜Ｒ４が形成されている。また、第２排出通路Ｒ２を形成する第２樋状通路部１０６において通路を挟んで対向する側面通路壁部１０３には、当該第２排出通路Ｒ２の内側に向けて突出する減勢突部１０６ａが互い違いに形成されており、当該第２排出通路Ｒ２を上方から下方へ通過するパチンコ球が減勢突部１０６ａに接触させて勢いを低減させるよう構成されている。
【００４７】
ここで、前記球排出ユニット１００は、図７に示すように、前記通路形成部１０１およびカバー部材１１０を組み付けた際に、前記第１排出通路Ｒ１の傾斜上端部において前方へ開口する上部球入口Ｒ１ａが開口するよう構成されて、当該第１排出通路Ｒ１の上部球入口Ｒ１ａに、前記枠状装飾部材４０に設けられた前記第１特別入賞部５３の排出口４９が連通するようになっている。そして、前記通路形成部１０１およびカバー部材１１０を組み付けた際に、前記第４排出通路Ｒ４の上端部において上方へ開口する下部球入口Ｒ４ａが開口すると共に、第４排出通路Ｒ４の下端部において下方へ開口する球出口が開口するよう構成されて、当該第４排出通路Ｒ４の下部球入口Ｒ４ａに、前記右側入賞ユニット６１に設けられた前記上部ユニット本体６２の排出口６３が連通すると共に、当該第４排出通路Ｒ４の球出口Ｒ４ｂに、前記設置部材８０の下面を形成する外周壁部８０ｂに形成された球通過口８８が連通するようになっている。更に、前記第３排出通路Ｒ３および第４排出通路Ｒ４の夫々は、当該第４通路における右側部の上下の中間位置において第３排出通路Ｒ３が連通するよう形成されている。すなわち、前記第１特別入賞部５３に入賞したパチンコ球は、前記第１〜第３排出通路Ｒ１〜Ｒ３を通過して前記第４排出通路Ｒ４に流入すると共に当該第４排出通路Ｒ４の球出口Ｒ４ｂから設置部材８０の球通過口８８を介して遊技盤２０の外部に排出されるようになっている。そして、前記第２始動入賞部５２および右側の普通入賞部５６に入賞したパチンコ球は、前記第４排出通路Ｒ４に流入して、当該第４排出通路Ｒ４の球出口Ｒ４ｂから設置部材８０の球通過口８８を介して遊技盤２０の外部に排出されるようになっている。なお、前記設置部材８０の球通過口８８は、前記中枠１２に設けられた球回収部(図示せず)に接続するよう構成されて、該球通過口８８から排出されたパチンコ球が球回収部を介してパチンコ機１０の外部(遊技店側の球循環設備)へ回収されるようになっている。
【００４８】
また、図５〜図７に示すように、前記通路形成部１０１には、前記挿通口１００ａを挟んで前記第２樋状通路部１０６の反対側(すなわち左側)に基板設置部１１５が設けられており、当該基板設置部１１５の前面に、前方へ向けて光を照射するＬＥＤ(発光体)１１８ａが実装されたＬＥＤ基板(発光体基板)１１８が設置されている。ここで、前記基板設置部１１５の下部には、当該基板設置部１１５から後方へ突出する支持台部１１６が設けられており、前記設置部材８０の背面板８０ａから前方へ突出するよう形成された支持突部８９(図３参照)の前端部が支持台部１１６の後面に突き当たるよう構成されている。すなわち、前記側部固定部１０１ａおよび下部固定部１０１ｂを用いて前記設置部材８０に球排出ユニット１００を取り付けた状態において、当該設置部材８０に形成された支持突部８９が球排出ユニット１００(支持台部１１６)の後面に当接することで、球排出ユニット１００の上部球入口Ｒ１ａと、枠状装飾部材４０に設けられた前記第１特別入賞部５３の排出口４９とが位置ずれしたり、球排出ユニット１００の下部球入口Ｒ４ａと、上部ユニット本体６２の排出口６３とが位置ずれするのを防止している。また、前記支持台部１１６には、前記基板設置部１１５側に開口する凹状のコネクタ収容部１１７が形成されており、前記ＬＥＤ基板１１８に設けられたコネクタ接続部がコネクタ収容部１１７に収容され、当該コネクタ収容部１１７に連通するよう支持台部１１６の後面に形成された配線挿通孔１１７ａを介して、当該コネクタ接続部に接続される配線が球排出ユニット１００の後方へ引き出されるようになっている。このように、支持台部１１６に形成されたコネクタ収容部１１７の内側でコネクタ接続部に配線接続されるよう構成することで、球排出ユニット１００の後方に配設された演出装置等との接触を効果的に防止できる。
【００４９】
(装飾カバー１２２)
また、前記球排出ユニット１００は、図５、図６に示すように、前記基板設置部１１５の前側に光透過性の光拡散部が設けられている。前記光拡散部は、前記ＬＥＤ基板１１８の前面を覆うと共に光拡散加工がなされた光透過性のレンズ部材１２１と、当該レンズ部材１２１の前側を覆うよう設けられると共に前記板状部材２１の後面に対向する光透過性の装飾カバー１２２とから構成されており、ＬＥＤ基板１１８のＬＥＤ１１８ａから照射されてレンズ部材１２１で拡散された光が装飾カバー１２２に照射されて、板状部材２１を発光により装飾するよう構成されている。
【００５０】
ここで、前記装飾カバー１２２は、図５に示すように、前記基板設置部１１５の前側を覆う第１装飾部１２２ａと、当該第１装飾部１２２ａの上端部に連設されて前記第１排出通路Ｒ１の前側を覆う第２装飾部１２２ｂとを備えており、当該第１装飾部１２２ａの上下に離間する端部および第２装飾部１２２ｂの右端部に、前後に貫通するネジ通孔１２２ｃが形成されている。そして、前記通路形成部１０１には、前記ネジ通孔１２２ｃ前後に整列する位置にネジ固定部１０９が前方へ突出するよう形成されており、ネジ通孔１２２ｃに前側から挿通したネジをネジ固定部１０９に螺挿することで装飾カバー１２２が固定されるようになっている。ここで、前記カバー部材１１０には、前記ネジ固定部１０９と整列する位置に、前後に貫通する貫通孔１１２が形成されており、当該貫通孔１１２にネジ固定部１０９を後方から挿通することで、通路形成部１０１に対してカバー部材１１０が位置決めされるようになっている。すなわち、前記カバー部材１１０の上部は、前記通路形成部１０１および装飾カバー１２２により挟持されることで固定されるようになっている。ここで、前記装飾カバー１２２の第２装飾部１２２ｂは、前記カバー部材１１０に形成された第１センサ挟持部１５１(後述)の前側を覆うよう形成されている。
【００５１】
また、前記装飾カバー１２２(第１装飾部１２２ａおよび第２装飾部１２２ｂ)の前面は、前後に複雑に起伏した立体形状に形成された立体装飾部１２３と、当該立体装飾部１２３より前方(板状部材２１側)へ突出すると共に前端部が平坦に形成された突状装飾部１２４とを備えており、当該突状装飾部１２４の前端部が前記板状部材２１の後面に近接して対向するようになっている。すなわち、前記突状装飾部１２４の前端部が前記板状部材２１の後面に当接することで、球排出ユニット１００の前側移動を規制するよう構成されて、球排出ユニット１００の上部球入口Ｒ１ａと、枠状装飾部材４０に設けられた前記第１特別入賞部５３の排出口４９とが位置ずれしたり、球排出ユニット１００の下部球入口Ｒ４ａと、上部ユニット本体６２に設けられた排出口６３とが位置ずれするのを防止している。
【００５２】
(センサ保持部１４０,１６０について)
また、前記球排出ユニット１００には、パチンコ機１０に対する不正行為を検出可能な前記不正検出センサ１３０,１８０として電波を利用した不正行為を検出する電波検出センサ１３０を保持する第１センサ保持部１４０と、磁気を利用した不正行為を検出する磁気検出センサ１８０を保持する第２センサ保持部１６０とが設けられている。ここで、前記第１センサ保持部１４０は、前記第１排出通路Ｒ１と第２排出通路Ｒ２の屈曲部に位置するよう設けられており、前記第１特別入賞部５３に設けられた第１特別入賞検出センサＳＥ３や、前記挿通口１００ａに配置された上部ユニット本体６２に設けられた第２始動入賞検出センサＳＥ２および普通入賞検出センサＳＥ６に対する電波を利用した不正行為を効果的に検出し得るよう構成されている。また、前記第２センサ保持部１６０は、前記第３排出通路Ｒ３の右側部に設けられており、前記右側入賞ユニット６１が配設される第２の流下領域２２ｂ(拡大流路ＲＢ)に対する磁気を利用した不正行為を効果的に検出し得るよう構成されている。
【００５３】
(電波による不正行為について)
そこで、パチンコ機１０で実行される電波を利用した不正行為と、前記第１センサ保持部１４０に配設される電波検出センサ１３０の構成について説明する。前述した各入賞検出センサＳＥ１〜ＳＥ６は、いわゆる誘導式近接スイッチであって、実施例のパチンコ機１０では、何れも同一構成のセンサ(以後、これらセンサを単に入賞検出センサＳＥという場合がある)が採用されている。図１２に示すように、入賞検出センサＳＥは、発振回路１３３等を備えたセンサ本体１３１とコイルが設けられてパチンコ球が通過可能な球通過口８８とを基本構成としている入賞検出センサＳＥは、パチンコ球を検出していない状態(パチンコ球が球通過口８８を通過していない状態)では、発振回路１３３が発振して、高レベルの信号(以下、ハイレベル信号という)を出力するように設定されている。一方、入賞検出センサＳＥは、パチンコ球を検出している状態(パチンコ球が球通過口８８を通過している間)では、発振回路１３３の発振が停止または減衰して、低レベルの信号(以下、ローレベル信号という)を出力するように設定されている。そして、メイン制御基板３０１は、入賞検出センサＳＥからの出力信号がハイレベル信号からローレベル信号に切り換わったときにパチンコ球を１カウントして、前記払出制御基板３０６を制御して球払出装置に賞球を払い出させる。
【００５４】
ところが、善意の遊技者に偽装した不正行為者が入賞検出センサＳＥに電波を放射して、該入賞検出センサＳＥの出力信号を強制的に変更する不正行為(以下、不正電波行為という)が行われることがある。一般的に、このような不正電波行為は、遊技が行われている際に死角になりやすいパチンコ機１０の前側下方に不正行為者が電波発生器を隠し持ち、各始動入賞部５１,５２や特別入賞部５３,５４等の配設位置へ向けて電波を放射することで実行されることが多い。この電波発生器から放射される電波を、パチンコ球が球通過口８８を通過する間に入賞検出センサＳＥが浴びると、該入賞検出センサＳＥは、断続的な発振があったと誤検出してしまう。その結果、入賞検出センサＳＥは、ローレベル信号およびハイレベル信号を繰り返し出力し、前記メイン制御基板３０１は、ハイレベル信号からローレベル信号に切り換わる度にパチンコ球をカウントすることとなる。そして、メイン制御基板３０１は、１個のパチンコ球が球通過口８８を通過したのにも拘わらず、複数個分のカウントをして、多くの賞球を払い出したり、特図当り判定(当り抽選)が行われてしまう虞がある。そこで、実施例のパチンコ機１０では、このような不正電波行為を検出するべく、前記球排出ユニット１００に電波検出センサ１３０が設置されている。
【００５５】
(電波検出センサ１３０について)
図５、図６、図９に示すように、前記電波検出センサ１３０は、矩形状のセンサ本体１３１と、当該センサ本体１３１の長手方向の一方に偏った位置に形成された検出口１３２に収容される金属体１３７とを備えている。この電波検出センサ１３０のセンサ本体１３１は、入賞検出センサＳＥのセンサ本体１３１と同一構成の部材である。言い換えると、実施例では、前述した始動入賞部５１,５２や特別入賞部５３,５４等に設けられる入賞検出センサＳＥと同一構成のセンサ本体１３１に対して金属体１３７を組み合わせることで電波検出センサ１３０が構成されるようになっている。前記検出口１３２には、開口縁に沿って検出コイル１３６が巻装されており、該検出コイル１３６により検出口１３２の周囲に磁界を発生させるようになっている。図１２に示すように、前記センサ本体１３１には、発振回路１３３、発振検出回路１３４および出力回路１３５が形成されている。図１３(ａ)に示すように、前記発振回路１３３は、検出口１３２の磁界中に金属体１３７が存在しない状態で、高周波(例えば、１ＭＨｚ)で発振するようになっている。また、図１３(ｂ)に示すように、前記検出口１３２の磁界中に磁性体(金属体１３７)が存在すると、発振回路１３３は、発振を停止または減衰させるようになっている。実施例の発振回路１３３は、検出口１３２に磁性体(金属体１３７)が存在した状態で、発振を停止させるように設定されている。実施例では、前記金属体１３７として、磁性体であるパチンコ球が用いられているが、パチンコ球に限らず検出口１３２の磁界中に存在することで発振回路１３３の発振を停止または減衰させ得るものであればよい。
【００５６】
前記発振検出回路１３４は、前記発振回路１３３の発振状態を検出して、当該発振状態に応じた信号を出力するものである。図１３(ａ)に示すように、発振検出回路１３４は、発振回路１３３の発振を検出すると発振検出信号を前記出力回路１３５に出力すると共に、図１３(ｂ)に示すように、発振回路１３３が発振を停止または減衰(実施例では、発振の停止)を検出すると出力回路１３５に発振停止検出信号を出力するよう構成される。すなわち、センサ本体１３１は、磁性体の有無により、発振検出回路１３４が発振を検出した発振検出状態(第１状態)と、発振検出回路１３４が発振の停止を検出した発振非検出状態(第２状態)とに状態変化可能に構成されている。
【００５７】
前記出力回路１３５は、前記発振検出回路１３４から発振検出信号が入力されると、前記ハイレベル信号を出力し、該発振検出回路１３４から発振停止検出信号が入力されると、前記ローレベル信号を出力するようになっている。なお、図１３(ｂ)に示すように、ローレベル信号は、０より僅かに大きな値となっている。前記出力回路１３５は、前記メイン制御基板３０１に電気的に接続されており、出力回路１３５から出力されたハイレベル信号およびローレベル信号は、メイン制御基板３０１に入力される。前記金属体１３７は、前記発振回路１３３の発振を停止させてセンサ本体１３１を発振非検出状態に維持する(状態変化手段を第２状態に維持する)ものである。
【００５８】
すなわち、実施例の電波検出センサ１３０は、前記不正電波行為が行われていない正常時では、金属体１３７により発振回路１３３の発振が停止されて、センサ本体１３１は、発振非検出状態に維持される。従って、図１３(ｂ)に示すように、発振検出回路１３４は、発振停止検出信号を出力し、出力回路１３５からローレベル信号が出力されるので、前記メイン制御基板３０１に対して常にローレベル信号が入力される。一方、センサ本体１３１が発振非検出状態にある場合において、前記電波発生器から電波がセンサ本体１３１に放射されると、発振回路１３３は発振を停止しているのにも拘わらず、電波によって断続的な発振が強制的に生起される。従って、不正電波行為が行われると、発振検出回路１３４が断続的な発振を検出して、発振検出信号および発振停止検出信号を交互に出力するようになっている。これにより、図１４に示すように、前記出力回路１３５は、ハイレベル信号およびローレベル信号をメイン制御基板３０１に交互に出力する。
【００５９】
このように、前記メイン制御基板３０１は、正常時(発振非検出状態)には、電波検出センサ１３０からローレベル信号が入力される(図１３(ｂ)参照)。また、不正電波行為によりセンサ本体１３１が発振検出状態に状態変化されると、出力回路１３５からハイレベル信号が入力される。そして、メイン制御基板３０１は、電波検出センサ１３０からの信号がローレベル信号からハイレベル信号に切り換わったときに、不正電波行為が発生したと判定するようになっている。すなわち、金属体１３７により発振非検出状態に維持されている筈のセンサ本体１３１が発振検出状態に状態変化されることで、メイン制御基板３０１が不正電波行為を検出し得るようになっている。
【００６０】
(第１センサ保持部１４０)
次に、前記電波検出センサ１３０が配設される前記第１センサ保持部１４０について説明する。前記第１センサ保持部１４０は、図５〜図７に示すように、前記通路形成部１０１において前記排出通路Ｒ(樋状通路部１０５〜１０８)から外れた位置に設けられて電波検出センサ１３０を位置決めする第１センサ設置部１４１と、前記カバー部材１１０に形成されて第１センサ設置部１４１に対向する第１センサ挟持部１５１とを備えており、通路形成部１０１とカバー部材１１０とを組み付けた際に、当該第１センサ設置部１４１に位置決めさせた電波検出センサ１３０を第１センサ挟持部１５１との間で挟持するよう構成されている。ここで、前記第１センサ設置部１４１は、前記第１樋状通路部１０５の傾斜下端部の下方および第２樋状通路の上端左側部に位置するよう設けられている。すなわち、前記第１排出通路Ｒ１および第２排出通路Ｒ２が連通する屈曲部に対して挿通口１００ａ側に隣接して第１センサ設置部１４１が設けられており、前記第１特別入賞部５３や第２始動入賞部５２、右側の普通入賞部５６に近接して電波検出センサ１３０を配置し得るよう構成されている。
【００６１】
(第１センサ設置部１４１について)
前記第１センサ設置部１４１は、図５〜図７、図８(a)、図９に示すように、前記通路形成部１０１において前記排出通路Ｒの後面を形成する前記後面通路壁部１０２に連続した平板状の後画壁１４２と、当該後画壁１４２から前方へ突出するよう形成されて上下方向に対向する上画壁１４３および下画壁(以下、後側下画壁１４４という)と、当該後画壁１４２から前方へ突出するよう形成されて左右方向に対向する左画壁(以下、後側左画壁１４５という)および右画壁１４６とから前方へ開口する横長の箱状に形成されている。ここで、前記左右の画壁は、前記電波検出センサ１３０のセンサ本体１３１の長手方向の寸法と略一致する間隔で離間するよう形成されており、当該第１センサ設置部１４１に電波検出センサ１３０を設置した際に、センサ本体１３１の長手方向に対向する端部が左右の画壁に当接して位置決めされるようになっている。すなわち、前記第１センサ設置部１４１の上画壁１４３を挟んで隣接する第１排出通路Ｒ１の延在方向(すなわち左右方向)に長手方向が沿う姿勢で前記電波検出センサ１３０が設置される。また、前記第１センサ設置部１４１の上画壁１４３の上部には、前記通路形成部１０１に装飾カバー１２２(カバー部材１１０)を固定するネジ固定部１０９が隣接して配置されており、当該固定位置に隣接した位置で第１センサ設置部１４１および第１センサ挟持部１５１により電波検出センサ１３０が挟持されることで、電波検出センサ１３０の安定性を高めるようにしてある。
【００６２】
また、前記第１センサ設置部１４１には、図５〜図７、図８(a)、図９に示すように、前記後画壁１４２において上下方向の下側に偏った位置に、前後に貫通する横長の後側スリット孔１４１ａが形成されている。前記横長の後側スリット孔１４１ａは、前記電波検出センサ１３０におけるセンサ本体１３１の長手方向の長さ寸法と略一致する寸法で左右方向に延在するよう形成されており、長手方向を左右に向けた姿勢で、当該センサ本体１３１の長手方向に沿った後側の下端側角部を前側から後側スリット孔１４１ａに差し込み得るようになっている。
【００６３】
更に、前記第１センサ設置部１４１には、図５〜図７、図８(a)、図９に示すように、前記電波検出センサ１３０のセンサ本体１３１を傾斜姿勢で支持する第１支持部１４７,１４８が形成されている。前記第１支持部は、前記後側スリット孔１４１ａより下方に設けられた第１下側支持部１４７と、当該後側スリット孔１４１ａより上方に設けられた第１上側支持部１４８とから構成されており、当該第１下側支持部１４７および第１上側支持部１４８に前記センサ本体１３１を当接させることで、前記検出口１３２が前側下方を向く傾斜姿勢で電波検出センサ１３０が位置決めされるようになっている。すなわち、実施例の電波検出センサ１３０は、前記第１排出通路Ｒ１の延在方向(左右方向)に当該センサの長手方向が沿うと共に、当該第１排出通路Ｒ１の延在方向(左右方向)と交差する方向(前側下方)に前記検出口１３２が開口する姿勢で前記第１センサ設置部１４１(第１センサ保持部１４０)に取り付けられるようになっている。
【００６４】
前記第１下側支持部１４７は、図８(a)、図９に示すように、前記第１センサ設置部１４１の後画壁１４２から前方へ突出すると共に当該後画壁１４２から後側下画壁１４４に亘って連続した突片部からなり、前記後側スリット孔１４１ａに沿って左右方向に離間した位置に複数(実施例では４つ)の第１下側支持部１４７が設けられている。前記第１下側支持部１４７の夫々は、前記後側スリット孔１４１ａ側の上端部から前方へ向かうにつれて下方傾斜する第１下側傾斜支持面１４７ａと、当該第１下側傾斜支持面１４７ａの傾斜下端部に連設すると共に前記後側下画壁１４４に沿って前方へ延在する下側誘導面１４７ｂとを備えている。すなわち、前記電波検出センサ１３０におけるセンサ本体１３１の長手方向に沿った前側の下端側角部を、前側第１下側支持部１４７の下側誘導面１４７ｂに当接させた状態で当該センサ本体１３１を後方へ移動することで、当該センサ本体１３１の長手方向に沿った後側の下端側角部が前側から後側スリット孔１４１ａに差し込まれるようになっている。また、前記センサ本体１３１の後側の下端側角部を前側から後側スリット孔１４１ａに差し込んだ際に、当該センサ本体１３１の側面が前記第１下側支持部１４７の第１下側傾斜支持面１４７ａに当接して、当該第１下側傾斜支持面１４７ａにより位置決めされるようになっている。
【００６５】
前記第１上側支持部１４８は、図８(a)、図９に示すように、前記第１センサ設置部１４１の後画壁１４２から前方へ突出すると共に当該後画壁１４２から上画壁１４３に亘って連続した突片部からなり、前記後側スリット孔１４１ａに沿って左右方向に離間した位置に複数(実施例では４つ)の第１上側支持部１４８が設けられている。ここで、突片状に形成された前記第１下側支持部１４７および第１上側支持部１４８の夫々は、前記後側スリット孔１４１ａを挟んで上下に並ぶ位置に設けられている。前記第１上側支持部１４８の夫々は、前記後側スリット孔１４１ａ側の下端部から上方へ延在すると共に前記後画壁１４２に沿って延在する第１後側当接面１４８ａと、当該第１後側当接面１４８ａの上端部に連設すると共に前方へ向かうにつれて上方傾斜する第２後側当接面１４８ｂと、当該第１後側当接面１４８ａの傾斜上端部に連設すると共に前記上画壁１４３に沿って前方へ延在する第３後側当接面１４８ｃと、第３後側当接面１４８ｃの前端部に連設すると共に前方へ向かうにつれて上方傾斜する第１上側傾斜支持面１４８ｄとを備えている。そして、前記センサ本体１３１の後側の下端側角部を前側から後側スリット孔１４１ａに差し込んだ際に、当該センサ本体１３１の検出口１３２が開口する後面が前記第１上側支持部１４８の第１上側傾斜支持面１４８ｄに当接するようになっている。
【００６６】
すなわち、後側の下端側角部を前側から後側スリット孔１４１ａに差し込んだ状態で、センサ本体１３１の側面が前記第１下側支持部１４７の第１下側傾斜支持面１４７ａに当接すると共に、当該センサ本体１３１の後面が前記第１上側支持部１４８の第１上側傾斜支持面１４８ｄに当接することで、前記検出口１３２が前側下方を向く傾斜姿勢で電波検出センサ１３０が第１センサ設置部１４１に位置決めされるようになっている。そして、前記第１センサ設置部１４１に電波検出センサ１３０を位置決めした状態で、電波検出センサ１３０(センサ本体１３１)の後面から前記第１上側支持部１４８の第１〜第３後側当接面１４８ａ〜１４８ｃが離間するようになっている。
【００６７】
また、図８(a)、図９に示すように、前記第１センサ設置部１４１に電波検出センサ１３０を位置決めした際に、当該電波検出センサ１３０(センサ本体１３１)の検出口１３２の後方に臨む位置に前記第１上側支持部１４８が位置するよう構成されている。そして、前記電波検出センサ１３０の検出口１３２に挿入された金属体１３７が、前記第１上側支持部１４８の第１上側支持部１４８の第１〜第３後側当接面１４８ａ〜１４８ｃに当接することで、当該金属体１３７を検出口１３２に保持し得るようになっている。ここで、第１〜第３後側当接面１４８ａ〜１４８ｃは、前記第１センサ設置部１４１に電波検出センサ１３０を位置決めした状態で、前記センサ本体１３１の後面に対して前記第１後側当接面１４８ａおよび前記第３後側当接面１４８ｃが交差するよう延在すると共に、当該センサ本体１３１の後面に対して前記第２後側当接面１４８ｂが略平行に延在するよう構成されている。更に、第１〜第３後側当接面１４８ａ〜１４８ｃは、前記検出口１３２の中心線を対称軸として略対称となるよう形成されると共に、当該検出口１３２の中心から前記第２後側当接面１４８ｂまでの間隔が金属体１３７の半径と略一致するよう形成されている。すなわち、前記電波検出センサ１３０の検出口１３２に挿入した金属体１３７が前記第１上側支持部１４８の第１上側支持部１４８の第１〜第３後側当接面１４８ａ〜１４８ｃに当接することで、当該金属体が検出口１３２の略中心に位置決めされるようになっている。
【００６８】
(第１センサ挟持部１５１)
前記第１センサ挟持部１５１は、図５〜図７、図８(b)、図９に示すように、前記第１センサ設置部１４１の後画壁１４２に対向する平板状の前画壁１５２と、当該前画壁１５２の下端から後方へ突出するよう形成された下画壁(以下、前側下画壁１５３という)と、当該前画壁１５２および前側下画壁１５３の左端部から後方へ突出するよう形成された左画壁(以下、前側左画壁１５４という)とから形成されている。そして、前記通路形成部１０１とカバー部材１１０とを組み付けた際に、前記第１センサ設置部１４１における前記後側下画壁１４４の前端部と、前記第１センサ挟持部１５１における前記前側下画壁１５３の後端部とが当接し、第１センサ設置部１４１における前記後側左画壁１４５の前端部と、第１センサ挟持部１５１における前記前側左画壁１５４の後端部とが当接すると共に、第１センサ設置部１４１における前記上画壁１４３の前端部が第１センサ挟持部１５１における前記前画壁１５２の後面に当接することで、前記電波検出センサ１３０を収容する収容部を画成するようになっている。すなわち、前記第１センサ設置部１４１において前記第１センサ挟持部１５１を向く前記電波検出センサ１３０の設置領域の全面を第１センサ挟持部１５１が覆うよう構成されて、第１センサ設置部１４１および第１センサ挟持部１５１に挟持される電波検出センサ１３０の安定性を向上するようになっている。なお、前記通路形成部１０１とカバー部材１１０とを組み付けた際に、前記第１センサ設置部１４１における前記右画壁１４６の前端部が前記第１センサ挟持部１５１の前記前画壁１５２の後面から離間するよう形成されて、前記電波検出センサ１３０に接続する配線を挿通し得るようになっている。なお、前記第１センサ挟持部１５１の前画壁１５２は、前記第１センサ設置部１４１の後画壁１４２と略平行な壁部分と、当該第１の画壁の下端に連設して下方へ向かうにつれて後方へ傾斜する壁部分とを有する屈曲状に形成されている。
【００６９】
また、前記第１センサ挟持部１５１には、図８(b)、図９に示すように、前記前画壁１５２において上下方向の上側に偏った位置に、前後に貫通する横長の前側スリット孔１５１ａが形成されている。前記横長の前側スリット孔１５１ａは、前記電波検出センサ１３０におけるセンサ本体１３１の長手方向の長さ寸法と略一致する寸法で左右方向に延在するよう形成されており、長手方向を左右に向けた姿勢で、当該センサ本体１３１の長手方向に沿った前側の上端側角部を後側から前側スリット孔１５１ａに差し込み得るようになっている。
【００７０】
更に、前記第１センサ挟持部１５１には、図８(b)、図９に示すように、前記電波検出センサ１３０のセンサ本体１３１を傾斜姿勢で支持する第２支持部１５７,１５８が形成されている。前記第２支持部は、前記前側スリット孔１５１ａより下方に設けられた第２下側支持部１５７と、当該前側スリット孔１５１ａより上方に設けられた第２上側支持部１５８とから構成されており、当該第２下側支持部１５７および第２上側支持部１５８に前記センサ本体１３１を当接させることで、前記検出口１３２が前側下方を向く傾斜姿勢で電波検出センサ１３０が前記第１支持部１４７,１４８との間に挟持されるようになっている。
【００７１】
前記第２下側支持部１５７は、図８(b)、図９に示すように、前記第１センサ挟持部１５１の前画壁１５２から後方へ突出すると共に当該前画壁１５２から前側下画壁１５３に亘って連続した突片部からなり、前記前側スリット孔１５１ａに沿って左右方向に離間した位置に第２下側支持部１５７が複数設けられている。前記第２下側支持部１５７の夫々は、前記前側スリット孔１５１ａ側の端部から下方へ向かうにつれて後方傾斜する第２下側傾斜支持面１５７ａと、当該第２下側傾斜支持面１５７ａの下端部に連設すると共に前記前画壁１５２に沿って延在する第１前側当接面１５７ｂと、当該第１前側当接面１５７ｂの下端部に連設すると共に下方へ向かうにつれて後方傾斜する第２前側当接面１５７ｃと、当該第２前側当接面１５７ｃの傾斜下端部に連設すると共に前記前側下画壁１５３に沿って後方へ延在する第３前側当接面１５７ｄと、第３前側当接面１５７ｄの前端部に連設すると共に下方へ向かうにつれて後方傾斜する第３下側傾斜支持面１５７ｅとを備えている。そして、前記第１センサ設置部１４１に電波検出センサ１３０を位置決めした状態で前記通路形成部１０１とカバー部材１１０とを組み付けた際に、当該電波検出センサ１３０におけるセンサ本体１３１の検出口１３２が開口する前面が前記第２下側支持部１５７の第２下側傾斜支持面１５７ａおよび第３下側傾斜支持面１５７ｅに当接するようになっている。
【００７２】
すなわち、前記センサ本体１３１の後面が前記第１センサ設置部１４１に設けた後側スリット孔１４１ａの開口縁および前記第１上側傾斜支持面１４８ｄに当接すると共に、当該センサ本体１３１の前面が前記第１センサ挟持部１５１に設けた前記第２下側傾斜支持面１５７ａおよび第３下側傾斜支持面１５７ｅに当接することで、前記検出口１３２が前側下方を向く傾斜姿勢で電波検出センサ１３０が第１センサ設置部１４１および第１センサ挟持部１５１により挟持されるようになっている。そして、前記第１センサ挟持部１５１で電波検出センサ１３０を挟持した状態で、電波検出センサ１３０(センサ本体１３１)の前面から前記第２下側支持部１５７の第１〜第３前側当接面１５７ｂ〜１５７ｄが離間するようになっている。
【００７３】
また、図８(b)、図９に示すように、前記第１センサ挟持部１５１で電波検出センサ１３０を挟持した際に、当該電波検出センサ１３０(センサ本体１３１)の検出口１３２の前方に臨む位置に前記第２下側支持部１５７が位置するよう構成されている。すなわち、前記電波検出センサ１３０の検出口１３２に挿入された金属体１３７が、前記第２下側支持部１５７の第１〜第３前側当接面１５７ｂ〜１５７ｄに当接することで、当該金属体１３７を検出口１３２に保持し得るようになっている。ここで、第１〜第３前側当接面１５７ｂ〜１５７ｄは、前記第１センサ挟持部１５１で電波検出センサ１３０を挟持した状態で、前記センサ本体１３１の前面に対して前記第１前側当接面１５７ｂおよび前記第３前側当接面１５７ｄが交差するよう延在すると共に、当該センサ本体１３１の前面に対して前記第２前側当接面１５７ｃが略平行に延在するよう構成されている。更に、第１〜第３前側当接面１５７ｂ〜１５７ｄは、前記検出口１３２の中心線を対称軸として略対称となるよう形成されると共に、当該検出口１３２の中心から前記第２前側当接面１５７ｃまでの間隔が金属体１３７の半径と略一致するよう形成されている。すなわち、前記第１センサ設置部１４１(第１上側支持部１４８)の第１〜第３後側当接面１４８ａ〜１４８ｃ、および前記第１センサ挟持部１５１(第２下側支持部１５７)の第１〜第３前側当接面１５７ｂ〜１５７ｄの夫々により前記電波検出センサ１３０の検出口１３２に挿入した金属体１３７が位置決めされることで、当該金属体が検出口１３２の略中心に保持されるようになっている。なお、第１〜第３後側当接面１４８ａ〜１４８ｃおよび第１〜第３前側当接面１５７ｂ〜１５７ｄの夫々は前記金属体１３７に対して当接している必要はなく、検出口１３２の略中心に金属体１３７が保持される程度の間隙で離間するよう構成されている。
【００７４】
前記第２上側支持部１５８は、図８(b)、図９に示すように、前記前側スリット孔１５１ａ側の端部から上方へ向かうにつれて後方傾斜する第２上側傾斜支持面１５８ａと、当該第２上側傾斜支持面１５８ａの傾斜上端部に連設すると共に前記前画壁１５２に沿って延在する上側誘導面とを備えている。すなわち、前記電波検出センサ１３０におけるセンサ本体１３１の長手方向に沿った前側の上端側角部を、前側第２上側支持部１５８の上側誘導面に沿ってセンサ本体１３１を後方へ移動することで、当該センサ本体１３１の長手方向に沿った前側の上端側角部が前側から前側スリット孔１５１ａに差し込まれるようになっている。また、前記センサ本体１３１の前側の上端側角部を後側から前側スリット孔１５１ａに差し込んだ際に、当該センサ本体１３１の傾斜上面が前記第２上側支持部１５８の第２上側傾斜支持面１５８ａに当接して、当該第２上側傾斜支持面１５８ａにより位置決めされるようになっている。すなわち、前記第１センサ設置部１４１に電波検出センサ１３０を位置決めした状態で前記通路形成部１０１とカバー部材１１０とを組み付けることで、当該電波検出センサ１３０のセンサ本体１３１および金属体１３７が当該第１センサ設置部１４１および第２センサ挟持部１７１により挟持されて、前記検出口１３２が前側下方を向く傾斜姿勢で電波検出センサ１３０の前後方向、左右方向および上下方向の移動が規制されるようになっている。
【００７５】
(第２センサ保持部１６０について)
前記第２センサ保持部１６０は、図５〜図７、図１０に示すように、前記通路形成部１０１において前記排出通路Ｒ(樋状通路部１０５〜１０８)から外れた位置に設けられて磁気検出センサ１８０を位置決めする第２センサ設置部１６１と、前記カバー部材１１０に形成されて第２センサ設置部１６１に対向する第２センサ挟持部１７１とを備えており、通路形成部１０１とカバー部材１１０とを組み付けた際に、当該第２センサ設置部１６１に位置決めさせた磁気検出センサ１８０を第２センサ挟持部１７１との間で挟持するよう構成されている。ここで、前記第２センサ保持部１６０(第２センサ設置部１６１)は、前記排出通路Ｒ(実施例では第３排出通路Ｒ３)と、前記設置部材８０の外周壁部８０ｂ(実施例では右側の外周壁部８０ｂ)との間に位置するよう前記球排出ユニット１００に設けられている。
【００７６】
(第２センサ設置部１６１)
前記第２センサ設置部１６１は、図５〜図７、図１０に示すように、前記通路形成部１０１において前記排出通路Ｒの後面を形成する後面通路壁部１０２に連続した平板状の設置板部１６２と、当該設置板部１６２に前方へ開口するよう凹設された設置凹部１６３とを備えている。前記設置凹部１６３は、前記磁気検出センサ１８０の後面側の輪郭形状に略整合する形状に形成されており、当該設置凹部１６３の前側から嵌合させることで磁気検出センサ１８０が所定の検出姿勢に位置決めされるようになっている。ここで、前記設置凹部１６３の前後の深さ寸法は、前記磁気検出センサ１８０の前後の厚み寸法よりも小さく形成されており、当該磁気検出センサ１８０を設置凹部１６３に嵌合させた際に、磁気検出センサ１８０の前面が設置凹部１６３から突出するようになっている。また、前記設置板部１６２には、前記設置凹部１６３内で開口する配線挿通孔１６２ａが開設されており、磁気検出センサ１８０に接続する配線を、当該配線挿通孔１６２ａを介して後方へ引き出し得るようになっている。そして、前記第２センサ設置部１６１の設置板部１６２には、前記通路形成部１０１にカバー部材１１０を固定するネジ固定部１０９が左側方に離間した位置に配置されている。
【００７７】
(第２センサ挟持部１７１)
前記第２センサ挟持部１７１は、図５〜図７、図１０に示すように、前記カバー部材１１０において前記排出通路Ｒの前面を形成する前面通路壁部１１１に連続するよう形成されて前記第２センサ設置部１６１(設置板部１６２)に対向する対向壁部１７２と、当該対向壁部１７２の後面から第２センサ設置部１６１に向けて突出する突出部１７３とを備えている。ここで、前記対向壁部１７２には、前記突出部１７３に隣接する位置に、前後に貫通するネジ通孔１７２ａが形成されており、当該ネジ通孔１７２ａに前側から挿通したネジを前記第２センサ設置部１６１の設置板部１６２に形成されたネジ固定部１０９に螺挿することで、カバー部材１１０の下部位置(第２センサ挟持部１７１)が通路形成部１０１(第２センサ設置部１６１)に固定されるようになっている。そして、前記通路形成部１０１とカバー部材１１０とを組み付けた際に、前記第２センサ設置部１６１の設置凹部１６３に嵌め込まれた磁気検出センサ１８０の前面に、前記第２センサ挟持部１７１の突出部１７３の後端面が当接して、当該磁気検出センサ１８０が挟持されるようになっている。すなわち、前記通路形成部１０１とカバー部材１１０とを固定するネジ固定部１０９およびネジ通孔１７２ａが、前記第２センサ設置部１６１(設置凹部１６３)および第２センサ挟持部１７１(突出部１７３)による磁気検出センサ１８０の挟持位置に隣接して設けられており、挟持された磁気検出センサ１８０の安定性を高めている。
【００７８】
ここで、図５〜図７、図１０に示すように、前記突出部１７３は、前記対向板部において設置凹部１６３(磁気検出センサ１８０)の前面全体を覆う範囲に形成されている。言い換えると、前記第２センサ設置部１６１における設置凹部１６３の形成領域(磁気検出センサ１８０の設置領域)よりも、前記第２センサ挟持部１７１における突出部１７３の形成領域を大きくしてある。これにより、前記設置凹部１６３に嵌合して後面全体が設置板部１６２に当接支持される磁気検出センサ１８０の前面に偏りなく前記突出部１７３を当接させ得るようになっている。すなわち、前記第２センサ挟持部１７１は、前記第２センサ設置部１６１において第２センサ挟持部１７１側を向く前記磁気検出センサ１８０の設置領域の全面を覆うよう形成されて、当該第２センサ設置部１６１に設けられた磁気検出センサ１８０の安定性を向上するようになっている。
【００７９】
また、前記第２センサ挟持部１７１の突出部１７３は、図５〜図７、図１０に示すように、前記対向壁部１７２の後面から格子状に突出した板状片１７３ａにより形成されており、前記設置板部１６２と対向板部との間の空間を格子状の小さな空間に分割するよう構成されている。すなわち、前記突出部１７３は、前記設置板部１６２(磁気検出センサ１８０)の前側の空間を小さな領域に分割することで、所定サイズの不正部品が当該空間へ設置されるのを防止するべく機能する。ここで、不正部品は、例えば、始動入賞部５１,５２や特別入賞部５３,５４を誤作動させたり、予め設定された制御条件とは異なった制御条件でメイン制御基板３０１を作動させるための基板や装置、器具等を指している。また、第２センサ挟持部１７１の突出部１７３により空間を分割するとは、不正行為を実行するために必要となる不正部品の大きさを想定して、前記設置板部１６２(磁気検出センサ１８０)の前側の空間を、想定した不正部品が設置不能となる狭小な空間に分断または区分けすることを意味している。このように、前記第２センサ挟持部１７１の突出部１７３は、前記磁気検出センサ１８０の前側の空間に前記不正部品を設置不能とする規制部として機能している。
【００８０】
また、前記突出部１７３において格子状に突出した前記板状片１７３ａは、前記設置凹部１６３に嵌合させた磁気検出センサ１８０の左右方向の略中央において上下方向の全長に亘って当接すると共に、当該磁気検出センサ１８０の上下方向の略中央において左右方向の全長に亘って当接するよう構成されている。このように、磁気検出センサ１８０の前面に対して前記突出部１７３(板状片１７３ａ)を十字状に当接させることで、当該磁気検出センサ１８０を安定して保持し得るようになっている。
【００８１】
(実施例の作用)
次に、前述のように構成された実施例に係るパチンコ機１０の作用につき説明する。
【００８２】
前記中枠１２の前面側に設けられた前記操作ハンドル１６を遊技者が回転操作すると、前記打球発射装置１８から発射されたパチンコ球が前記遊技盤２０に設けた案内レール２３により画成された遊技領域２２内に打ち出されて、遊技釘３２等に接触して流下方向を変更しながら遊技領域２２内を流下する。そして、前記遊技領域２２を流下するパチンコ球が前記始動入賞部５１,５２の第１始動入賞部５１または第２始動入賞部５２に入賞することで、前記図柄表示装置１７での図柄組合せ演出が開始され、図柄組合せ演出の結果、図柄表示装置１７に所定の図柄組合せで演出図柄が表示されると特別遊技が発生する。そして、特別遊技が発生すると、前記遊技盤２０に設けられた第１または第２特別入賞部５３,５４が開放されると共に図柄表示装置１７において特図当り演出が行われる。
【００８３】
ここで、前記遊技領域２２における第２の流下領域２２ｂを流下する過程で前記枠状装飾部材４０に設けられた前記第１特別入賞部５３の第１特別入賞口５３ａに入賞したパチンコ球は、当該第１特別入賞部５３に設けられた第１特別入賞検出センサＳＥ３により検出された後に枠状装飾部材４０の排出口４９から板状部材２１の裏側に排出される。そして、前記枠状装飾部材４０の排出口４９から排出されたパチンコ球が前記設置部材８０に設けられた球排出ユニット１００の上部球入口Ｒ１ａを介して第１排出通路Ｒ１に流入して、当該球排出ユニット１００の第２〜第４排出通路Ｒ２〜Ｒ４を転動したパチンコ球が当該第４排出通路Ｒ４の球出口Ｒ４ｂを通過して、当該設置部材８０の球通過口８８を介して遊技盤２０の下方へ排出される。ここで、前記第２排出通路Ｒ２には、当該第２排出通路Ｒ２を形成する第２樋状通路部１０６に減勢突部１０６ａを形成してあるから、当該第２排出通路Ｒ２を通過する過程でパチンコ球の勢いを低下することができる。また、第２排出通路Ｒ２に続く第３排出通路Ｒ３を蛇行状に形成することで、当該第３排出通路Ｒ３を通過する過程でパチンコ球の勢いを低下することができる。このように、特別遊技に伴って開放された第１特別入賞部５３に短時間で多数のパチンコ球が入賞した場合でも、当該パチンコ球を適度に減速して排出通路Ｒを流下させることができるから、球排出ユニット１００の損傷を防止し得ると共に、パチンコ球の球詰まりを防止し得る。また、パチンコ球を減速させながら流下させることで、第２排出通路Ｒ２や第３排出通路Ｒ３に隣接するセンサ保持部１４０,１６０に設けられた不正検出センサ１３０,１８０に与える振動や衝撃を緩和して、当該不正検出センサ１３０,１８０の誤検出を効果的に防止し得るようになっている。
【００８４】
また、前記遊技領域２２における第２の流下領域２２ｂを流下する過程で前記右側入賞ユニット６１に設けられた第２始動入賞部５２や普通入賞部５６に入賞したパチンコ球は、前記上部ユニット本体６２に設けられた第２始動入賞検出センサＳＥ２や普通入賞検出センサＳＥ６により検出された後に上部ユニット本体６２の同じ排出口６３から板状部材２１の裏側に排出される。そして、上部ユニット本体６２の排出口６３から排出されたパチンコ球が前記設置部材８０に設けられた球排出ユニット１００の下部球入口Ｒ４ａを介して第４排出通路Ｒ４に流入すると共に当該第４排出通路Ｒ４の球出口Ｒ４ｂを通過して、当該設置部材８０の球通過口８８を介して遊技盤２０の下方へ排出される。このように、第２の流下領域２２ｂを流下する過程で前記右側入賞ユニット６１の第２始動入賞部５２や普通入賞部５６に入賞したパチンコ球を、前記上部ユニット本体６２の同じ排出口６３から排出させるようにしたことで、球排出ユニット１００に形成する排出通路Ｒの経路を簡略化することができ、前記設置部材８０の限られた収容空間８２を有効に活用することができる。また、前記第１特別入賞部５３に入賞したパチンコ球と、前記第２始動入賞部５２や普通入賞部５６に入賞したパチンコ球の夫々を、共通した第４排出通路Ｒ４を通過させて排出するようにすることで、球排出ユニット１００に形成する排出通路Ｒの経路を簡略化することができる。
【００８５】
また、前記球排出ユニット１００には、前記第１特別入賞部５３に入賞したパチンコ球の排出通路Ｒ(第１排出通路Ｒ１、第２排出通路Ｒ２および第３排出通路Ｒ３)を、前記上部ユニット本体６２の側部(右側部)を迂回するように形成して、当該排出通路Ｒ(第２排出通路Ｒ２および第３排出通路Ｒ３)を、上部ユニット本体６２と設置部材８０の右側面を画成する外周壁部８０ｂとの間を延在するよう設けられている。すなわち、前記設置部材８０に形成される収容空間８２の隅部に排出通路Ｒを延在させることにより、当該収容空間８２を効率よく利用することができる。また、前記球排出ユニット１００は、側部固定部１０１ａおよび下部固定部１０１ｂを介して当該球排出ユニット１００の右側部および下部を設置部材８０に強固に固定する一方で、当該設置部材８０の外周壁部８０ｂから離間した左側部に設けられた支持台部１１６(基板設置部１１５)の後面に、設置部材８０の背面板８０ａから突出する支持突部８９を当接させると共に、基板設置部１１５の前面を覆う装飾カバー１２２の突状装飾部１２４を板状部材２１の後面に近接させて、当該球排出ユニット１００の左側部の前後移動を規制するように構成してある。すなわち、前記設置部材８０の外周壁部８０ｂから離間した前記球排出ユニット１００の左側部を固定するために固定部を設けることなく、収容空間８２に演出装置の設置スペース確保することができる。
【００８６】
また、前記球排出ユニット１００には、前記第１排出通路Ｒ１と第２排出通路Ｒ２の屈曲位置に電波検出センサ１３０を保持する第１センサ保持部１４０を設けてあるから、当該１つの電波検出センサ１３０により第２始動入賞検出センサＳＥ２、第１特別入賞検出センサＳＥ３および普通入賞検出センサＳＥ６の夫々に対する電波による不正行為を同時に検出することができる。また、前記第１センサ保持部１４０は、前記排出通路Ｒを画成する樋状通路部１０５〜１０８が形成された通路形成部１０１に、電波検出センサ１３０を位置決めする第１センサ設置部１４１を設けて、当該第１センサ設置部１４１に取り付けられた電波検出センサ１３０を、カバー部材１１０に設けた第１センサ挟持部１５１で挟持するよう構成されている。すなわち、前記電波検出センサ１３０を設置するための部材を個別に設置部材８０に配設する必要がないから、当該設置部材８０の限られた収容空間８２を有効に活用することが可能となる。また、前記電波検出センサ１３０は、前記通路形成部１０１とカバー部材１１０とを固定するだけで前記第１センサ設置部１４１および第１センサ挟持部１５１により挟持される。従って、電波検出センサ１３０の設置スペースを最小化し得ると共に、電波検出センサ１３０を簡単に組み付けすることができ、コストを低廉に抑制することが可能となる。このように、入賞部５２,５３,５６に入賞したパチンコ球の排出通路Ｒを形成する球排出ユニット１００に不正検出センサ(電波検出センサ１３０)を設置することで、不正行為の対象とされ易い入賞部５２,５３,５６を効果的に監視することができる。
【００８７】
ここで、前記各種入賞部に入賞したパチンコ球が前記第１〜第４排出通路Ｒ１〜Ｒ４を通過する過程で球詰まりするのを防ぐためにも、当該第１〜第４排出通路Ｒ１〜Ｒ４を画成する前記通路形成部１０１およびカバー部材１１０は比較的精度良く組み付けられる。このため、前記第１センサ設置部１４１を前記通路形成部１０１に形成すると共に前記第１センサ挟持部１５１をカバー部材１１０に形成することで、通路形成部１０１およびカバー部材１１０の組み付けに伴って電波検出センサ１３０を保持する第１センサ保持部１４０も合わせて精度良く組み付けることができるから、電波検出センサ１３０が適正な検出姿勢から位置ずれするのを効果的に防止して、当該電波検出センサ１３０の検出不良との発生を防止することが可能となる。
【００８８】
また、実施例の電波検出センサ１３０は、前記第１センサ設置部１４１の上画壁１４３を挟んで隣接する第１排出通路Ｒ１の延在方向(実施例では左右方向)に対してセンサ本体１３１の長手方向が沿うと共に、当該センサ本体１３１に設けられた検出口１３２が第１排出通路Ｒ１の延在方向と交差する斜め下方を向く姿勢で、当該第１センサ設置部１４１に対して位置決めされる。ここで、遊技店の設置枠台にパチンコ機１０が設置された状況においてはパチンコ機１０の前側下方が比較的に死角となりやすい。このため、電波を利用した不正電波行為が実行される場合には、このような死角に不正行為者が電波発生器を隠し持ち、不正のターゲットに向けて電波を斜め下方から電波を放射することが想定される。これに対して、実施例のように検出口１３２が斜め下方を向く姿勢で電波検出センサ１３０が設置されることから、パチンコ機１０の前側下方から放射された電波を好適に電波検出センサ１３０が検出することができ、不正電波行為を効果的に検出することが可能となる。また、実施例の電波検出センサ１３０は、検出口１３２の開口方向に直交する方向から電波が照射される場合には、その性質上、電波検出センサ１３０による電波の検出精度が低下する。これに対して、実施例では電波検出センサ１３０の検出口１３２を斜め下方に向けることで、パチンコ機１０(第２始動入賞部５２や第１特別入賞部５３)に向けて正面側から放射された電波も精度良く検出することができる。すなわち、電波検出センサ１３０の検出口１３２を斜め下方に向けることで、電波検出センサ１３０による不正電波行為の検出可能範囲を拡大して最適化することが可能となる。
【００８９】
ここで、電波検出センサ１３０の検出口１３２を斜め下方に向ける構成としては、検出口１３２を正面に向けると共にセンサ本体１３１の長手方向を上下方向に延在する姿勢を基準として、当該センサ本体１３１の長手方向一方端部(上端部)から他方端部(下端部)に向かうにつれて後方へ傾斜させることでも実現できる。しかしながら、この構成では傾斜させた電波検出センサ１３０の前後幅が拡大する。すなわち、第１排出通路Ｒ１の延在方向(実施例では左右方向)に対してセンサ本体１３１の長手方向が沿わせて検出口１３２を斜め下方に向ける実施例の電波検出センサ１３０の設置構造によれば、電波検出センサ１３０の前後幅の拡大を抑制して前後方向の設置スペースを最小化しつつ、検出口１３２を傾斜させることができる。また、球排出ユニット１００に形成される排出通路Ｒの前後幅の範囲で電波検出センサ１３０の検出口１３２を傾斜させることができる。また、第１センサ設置部１４１および第１センサ挟持部１５１にスリット孔１４１ａ,１５１ａを形成することで、当該スリット孔１４１ａ,１５１ａを利用して電波検出センサ１３０を位置決めするだけでなく、電波検出センサ１３０の傾斜角度を大きくすることが可能となる。
【００９０】
また、前記通路形成部１０１には、前記第１センサ設置部１４１の上画壁１４３に隣接した位置に、カバー部材１１０(装飾カバー１２２)を固定するネジ固定部１０９を形成してある。すなわち、第１センサ設置部１４１および第１センサ挟持部１５１による電波検出センサ１３０の挟持位置に隣接した位置で、通路形成部１０１およびカバー部材１１０が固定されるから、電波検出センサ１３０の安定性を向上することができる。また、第１センサ設置部１４１における電波検出センサ１３０の設置領域の全面を、カバー部材１１０に設けた第１センサ挟持部１５１で覆うよう構成したことで、第１センサ設置部１４１および第１センサ挟持部１５１により挟持された電波検出センサ１３０の安定性を高めることができると共に、電波検出センサ１３０に対する不正を防止することができる。
【００９１】
また、前記球排出ユニット１００には、前記第３排出通路Ｒ３と設置部材８０の右側面を画成する外周壁部８０ｂとの間に磁気検出センサ１８０を保持する第２センサ保持部１６０を設けてあるから、当該１つの磁気検出センサ１８０により前記右側入賞ユニット６１が配設される第２の流下領域２２ｂ(拡大流路ＲＢ)に対する磁気を利用した不正行為を効果的に検出することができる。また、前記第２センサ保持部１６０は、前記排出通路Ｒを画成する樋状通路部１０５〜１０８が形成された通路形成部１０１に、磁気検出センサ１８０を位置決めする第２センサ設置部１６１を設けて、当該第２センサ設置部１６１に取り付けられた磁気検出センサ１８０を、カバー部材１１０に設けた第２センサ挟持部１７１で挟持するよう構成されている。すなわち、前記磁気検出センサ１８０を設置するための部材を個別に設置部材８０に配設する必要がないから、当該設置部材８０の限られた収容空間８２を有効に活用することが可能となる。また、前記磁気検出センサ１８０は、前記通路形成部１０１とカバー部材１１０とを固定するだけで前記第２センサ設置部１６１および第２センサ挟持部１７１により挟持される。従って、磁気検出センサ１８０の設置スペースを最小化し得ると共に、磁気検出センサ１８０を簡単に組み付けすることができ、コストを低廉に抑制することが可能となる。このように、入賞部５２,５３,５６に入賞したパチンコ球の排出通路Ｒを形成する球排出ユニット１００に不正検出センサ(磁気検出センサ１８０)を設置することで、磁気を利用した不正行為の対象とされ易い入賞部５２,５３,５６を効果的に監視することができる。
【００９２】
ここで、前記各種入賞部に入賞したパチンコ球が前記第１〜第４排出通路Ｒ１〜Ｒ４を通過する過程で球詰まりするのを防ぐためにも、当該第１〜第４排出通路Ｒ１〜Ｒ４を画成する前記通路形成部１０１およびカバー部材１１０は比較的精度良く組み付けられる。このため、前記第２センサ設置部１６１を前記通路形成部１０１に形成すると共に前記第２センサ挟持部１７１をカバー部材１１０に形成することで、通路形成部１０１およびカバー部材１１０の組み付けに伴って磁気検出センサ１８０を保持する第１センサ保持部１４０も合わせて精度良く組み付けることができるから、磁気検出センサ１８０が適正な検出姿勢から位置ずれするのを効果的に防止して、当該磁気検出センサ１８０の検出不良との発生を防止することが可能となる。
【００９３】
また、前記通路形成部１０１には、前記第２センサ設置部１６１の設置板部１６２に、カバー部材１１０(装飾カバー１２２)を固定するネジ固定部１０９を形成してある。すなわち、第２センサ設置部１６１および第２センサ挟持部１７１による磁気検出センサ１８０の挟持位置に隣接した位置で、通路形成部１０１およびカバー部材１１０が固定されるから、磁気検出センサ１８０の安定性を向上することができる。また、第２センサ設置部１６１における磁気検出センサ１８０の設置領域の全面を、カバー部材１１０に設けた第２センサ挟持部１７１で覆うよう構成したことで、第２センサ設置部１６１および第２センサ挟持部１７１により挟持された磁気検出センサ１８０の安定性を高めることができると共に、磁気検出センサ１８０に対する不正を防止することができる。また、磁気検出センサ１８０は、前記第２センサ設置部１６１の設置板部１６２に形成した設置凹部１６３に嵌合するだけで位置決めできるから、球排出ユニット１００に対する磁気検出センサ１８０の取付作業性が向上する。
【００９４】
(変更例)
なお、遊技機としては、実施例に示したものに限らず、種々の構成を採用可能である。
【００９５】
(１)  実施例では、入賞部に入賞した遊技球を排出する排出通路部(球排出ユニット)に対して不正検出センサとして電波検出センサを設置する第１センサ設置部(第１センサ保持部)および磁気検出センサを設置する第２センサ設置部(第２センサ保持部)を設けるよう構成したが、何れか一方のみを設置するようにしてもよい。また、電波検出センサおよび磁気検出センサを１つずつ設置するよう構成したが、各センサを複数設置するようにすることもできる。
(２)  排出通路部(球排出ユニット)に対して設置する不正検出センサとしては、電波検出センサや磁気検出センサに限られるものではなく、遊技球が流下するタイミングや流下方向に影響を及ぼすためにパチンコ機に対して作用された振動を検出する振動検出センサを設置するようにしてもよい。すなわち、不正検出センサとしては、遊技機に対する不正行為を検出可能に構成されたセンサであればよい。
(３)  実施例では、遊技盤(板状部材)に配設された枠状装飾部材に設けた第１特別入賞部に入賞した遊技球を排出する排出通路と、第２始動入賞部および普通入賞部に入賞した遊技球を排出する排出通路とを排出通路部(球排出ユニット)に設けるよう構成したが、これに限られるものではなく、遊技領域内に開口して遊技球が入賞可能な入賞部に入賞した遊技球を排出する構成であればよい。すなわち、排出通路部(球排出ユニット)を介して遊技盤の外部に排出させる入賞部としては、枠状装飾部材に設けられた入賞部である必要はなく、当該枠状装飾部材とは別に遊技盤(板状部材)に備えられた入賞部であってもよい。また、枠状装飾部材とは別に遊技盤(板状部材)に備える構成にあっては、複数の入賞部を設けてユニット化する構成に限られるものではなく、枠状装飾部材とは別に１つの入賞部のみを単独で備えるようにしてもよい。
(４)  また、排出通路部(球排出ユニット)を介して遊技盤の外部に排出させる入賞部の種類としては、始動入賞口が開閉される始動入賞部や、特別遊技の発生に伴って特別入賞口が開閉される特別入賞部、遊技球の入賞に伴い賞球の払出条件のみが成立する普通入賞部を実施例で示したが、これに限定されるものではなく、始動入賞口が開閉される始動入賞部であってもよく、始動入賞部への入賞を契機として特別遊技の発生とは別の条件が成立した場合に入賞口が開閉される入賞部であってもよい。
(５)  実施例では、排出通路部(球排出ユニット)に２つの球入口を形成したが、１つの球入口を形成したり、３つ以上の球入口を形成するようにしてもよい。
(６)  実施例では、排出通路部(球排出ユニット)を設置部材の右下部位置に配置するよう構成したが、設置部材の左下部位置に配置する構成であってもよい。すなわち、遊技領域内に開口して遊技球が入賞可能な入賞部の配設位置に合わせて、設置部材の適宜位置に排出通路部(球排出ユニット)を配置することができる。
(７)  実施例では、不正検出センサとしての電波検出センサを、検出口が斜め下方に向く姿勢で設置するよう構成したが、当該検出口を正面に向けた姿勢で設置するよう構成してもよい。
(８)  実施例では、遊技機としてパチンコ機を例示して説明したが、これに限られるものではなく、アレンジボール機やピンボール機、スロットマシン機等の各種遊技機を採用し得る。
【符号の説明】
【００９６】
２０  遊技盤
２１  板状部材
２２  遊技領域
５２  第２始動入賞部(入賞部)
５３  第１特別入賞部(入賞部)
５６  普通入賞部(入賞部)
８０  設置部材
８２  収容空間
１００  球排出ユニット(球排出通路部)
１０１  通路形成部
１０５  第１樋状通路部(樋状通路部)
１０６  第２樋状通路部(樋状通路部)
１０７  第３樋状通路部(樋状通路部)
１０８  第４樋状通路部(樋状通路部)
１１０  カバー部材
１３０  電波検出センサ(不正検出センサ)
１３１  センサ本体
１３２  検出口
１３３  発振回路
１３４  発振検出回路
１３７  金属体
１４１  第１センサ設置部(センサ設置部)
１４３  上画壁(画壁)
１６１  第２センサ設置部(センサ設置部)
１７１  第２センサ挟持部(センサ挟持部)
１８０  磁気検出センサ(不正検出センサ)
Ｒ１  第１排出通路(球通路)
Ｒ２  第２排出通路(球通路)
Ｒ３  第３排出通路(球通路)
Ｒ４  第４排出通路(球通路)
【図１】
0006273181.tif 000002
【図２】
0006273181.tif 000003
【図３】
0006273181.tif 000004
【図４】
0006273181.tif 000005
【図５】
0006273181.tif 000006
【図６】
0006273181.tif 000007
【図７】
0006273181.tif 000008
【図８】
0006273181.tif 000009
【図９】
0006273181.tif 000010
【図１０】
0006273181.tif 000011
【図１１】
0006273181.tif 000012
【図１２】
0006273181.tif 000013
【図１３】
0006273181.tif 000014
【図１４】
0006273181.tif 000015